(57)【要約】  セルラー通信ネットワークからの下りリンクの１つ以上のチャネル特性を１つ以上のチャネル特性に関する地理的に同一なアンテナポートに基づいて推定するためのシステムおよび方法が開示される。一実施形態では、ワイヤレスデバイスが、セルラー通信ネットワークから下りリンク制御チャネルを含む下りリンクサブフレームを受信する。ワイヤレスデバイスは、下りリンク制御チャネルにおける関心のアンテナポートについての１つ以上の大規模なチャネル特性を１つ以上の大規模なチャネル特性に関し関心のアンテナポートと地理的に同一であるセルラー通信ネットワークにおけるアンテナポートに対応する基準信号のサブセットに基づいて推定する。地理的に同一なアンテナポートの使用の結果として、１つ以上の大規模なチャネル特性の推定が大幅に改善される。【選択図】図１１
2015532032.tif 000002
【特許請求の範囲】
【請求項１】
セルラー通信ネットワーク（１０）において動作するように構成されたワイヤレスデバイス（１６）であって、
無線サブシステム（１８）と、
前記無線サブシステム（１８）に関連づけられた処理サブシステム（２０）とを備え、
前記処理サブシステム（２０）は、前記セルラー通信ネットワーク（１０）からの下りリンク制御チャネルを備える下りリンクサブフレームを前記無線サブシステム（１８）を介して受信し、前記下りリンク制御チャネルにおける関心のアンテナポートについての１つ以上の大規模なチャネル特性を前記１つ以上の大規模なチャネル特性に関し前記関心のアンテナポートと地理的に同一である前記セルラー通信ネットワーク（１０）におけるアンテナポートに対応する複数の基準信号のサブセットに基づいて推定するように構成される、ワイヤレスデバイス（１６）。
【請求項２】
前記複数の基準信号の前記サブセットは、前記下りリンクサブフレーム内の同一の物理リソースブロックにおける同一の基準信号タイプのための異なる基準信号ポートで送信された基準信号を備え、
前記下りリンクサブフレーム内の同一の物理リソースブロックにおける同一の基準信号タイプのための前記異なる基準信号ポートは、前記１つ以上の大規模なチャネル特性に関し地理的に同一であるアンテナポートに対応する、請求項１に記載のワイヤレスデバイス（１６）。
【請求項３】
前記複数の基準信号の前記サブセットは、前記下りリンクサブフレーム内の異なる物理リソースブロックにおける同一の基準信号タイプのための同一の基準信号ポートで送信された同一の基準信号である基準信号を備え、前記下りリンクサブフレーム内の異なる物理リソースブロックにおける同一の基準信号タイプのための前記基準信号ポートは、前記１つ以上の大規模なチャネル特性に関し地理的に同一であるアンテナポートに対応する、請求項１に記載のワイヤレスデバイス（１６）。
【請求項４】
前記複数の基準信号の前記サブセットは、前記下りリンクサブフレーム内の同一の物理リソースブロックにおける異なる基準信号タイプのための異なる基準信号ポートで送信された基準信号を備え、
前記下りリンクサブフレーム内の同一の物理リソースブロックにおける異なる基準信号タイプのための前記異なる基準信号ポートは、前記１つ以上の大規模なチャネル特性に関し地理的に同一であるアンテナポートに対応する、請求項１に記載のワイヤレスデバイス（１６）。
【請求項５】
前記複数の基準信号の前記サブセットは、前記下りリンクサブフレーム内の異なる物理リソースブロックにおける異なる基準信号タイプのための異なる基準信号ポートで送信された基準信号を備え、
前記下りリンクサブフレーム内の異なる物理リソースブロックにおける異なる基準信号タイプのための前記異なる基準信号ポートは、前記１つ以上の大規模なチャネル特性に関し地理的に同一であるアンテナポートに対応する、請求項１に記載のワイヤレスデバイス（１６）。
【請求項６】
前記処理サブシステム（２０）はさらに、前記１つ以上の大規模なチャネル特性に関し前記関心のアンテナポートと地理的に同一である前記アンテナポートを示す前記セルラー通信ネットワーク（１０）からの情報を前記無線サブシステム（１８）を介して受信するように構成される、請求項１に記載のワイヤレスデバイス（１６）。
【請求項７】
前記セルラー通信ネットワーク（１０）からの情報はさらに、前記アンテナポートが前記１つ以上の大規模なチャネル特性に関し前記関心のアンテナポートと地理的に同一である１つ以上の物理リソースブロックを示す、請求項６に記載のワイヤレスデバイス（１６）。
【請求項８】
前記１つ以上の大規模なチャネル特性に関し前記関心のアンテナポートと地理的に同一である前記アンテナポートは、前記セルラー通信ネットワーク（１０）のために予め定義される、請求項１に記載のワイヤレスデバイス（１６）。
【請求項９】
前記アンテナポートが前記１つ以上の大規模なチャネル特性に関し前記関心のアンテナポートと地理的に同一である１つ以上の物理リソースブロックもまた、前記セルラー通信ネットワーク（１０）によって予め定義される、請求項８に記載のワイヤレスデバイス（１６）。
【請求項１０】
前記１つ以上の大規模なチャネル特性に関し前記関心のアンテナポートと地理的に同一である前記アンテナポートは、前記１つ以上の大規模なチャネル特性に関し前記関心のアンテナポートと地理的に同一であるものとして前記セルラー通信ネットワーク（１０）のために予め定義された第１のアンテナポートと、前記セルラー通信ネットワーク（１０）からのシグナリングを介して前記１つ以上の大規模なチャネル特性に関し前記関心のアンテナポートと地理的に同一であるものとして示された第２のアンテナポートとを備える、請求項１に記載のワイヤレスデバイス（１６）。
【請求項１１】
前記第１のアンテナポートが前記１つ以上の大規模なチャネル特性に関し前記関心のアンテナポートと地理的に同一である１つ以上の物理リソースブロックもまた、前記セルラー通信ネットワーク（１０）によって予め定義される、請求項１０に記載のワイヤレスデバイス（１６）。
【請求項１２】
前記第２のアンテナポートが前記１つ以上の大規模なチャネル特性に関し前記関心のアンテナポートと地理的に同一である１つ以上の物理リソースブロックもまた、前記セルラー通信ネットワーク（１０）からのシグナリングを介して前記ワイヤレスデバイス（１６）に示される、請求項１０に記載のワイヤレスデバイス（１６）。
【請求項１３】
前記セルラー通信ネットワーク（１０）は、ロングタームエボリューションセルラー通信ネットワークであり、前記下りリンク制御チャネルは、発展型物理下りリンク制御チャネルである、請求項１に記載のワイヤレスデバイス（１６）。
【請求項１４】
前記ワイヤレスデバイス（１６）は、発展型物理下りリンク制御チャネルにおける基準信号に対応するアンテナポートがアンテナポート間およびサブフレーム内の物理リソースブロック間で大規模なチャネル特性に関し地理的に同一であることを想定せず、
前記１つ以上の大規模なチャネル特性に関し前記関心のアンテナポートと地理的に同一である前記アンテナポートは、前記セルラー通信ネットワーク（１０）によってシグナリングされたアンテナポートを備える、請求項１に記載のワイヤレスデバイス（１６）。
【請求項１５】
前記セルラー通信ネットワーク（１０）は、ロングタームエボリューションセルラー通信ネットワークであり、
前記下りリンク制御チャネルは、発展型物理下りリンク制御チャネルであり、
前記複数の基準信号は、前記発展型物理下りリンク制御チャネル内で送信される複数の基準信号を備える、請求項１に記載のワイヤレスデバイス（１６）。
【請求項１６】
前記ワイヤレスデバイス（１６）は、前記発展型物理下りリンク制御チャネル内の復調基準信号ポートに対応する任意のアンテナポートがアンテナポート間および前記下りリンクサブフレーム内の物理リソースブロック間で長期的なチャネル特性に関し地理的に同一であることを想定せず、
前記処理サブシステム（２０）はさらに、
前記発展型物理下りリンク制御チャネルで送信された下りリンク制御情報メッセージが２つ以上の復調基準信号ポートに関連づけられるかどうかを決定するように構成され、
前記下りリンク制御情報メッセージが２つ以上の復調基準信号ポートに関連づけられる場合、前記１つ以上の大規模なチャネル特性に関し地理的に同一である前記アンテナポートは、前記下りリンク制御情報メッセージに関連づけられた物理リソースブロックのための前記下りリンク制御情報メッセージに関連づけられたアンテナポートを備える、請求項１５に記載のワイヤレスデバイス（１６）。
【請求項１７】
前記ワイヤレスデバイス（１６）は、前記発展型物理下りリンク制御チャネル内の復調基準信号ポートに対応する任意のアンテナポートがアンテナポート間および前記下りリンクサブフレーム内の物理リソースブロック間で長期的なチャネル特性に関し地理的に同一であることを想定せず、
前記処理サブシステム（２０）はさらに、
前記発展型物理下りリンクチャネルで送信された下りリンク制御情報メッセージが２つ以上の物理リソースブロックに関連づけられるかどうかを決定するように構成され、
前記下りリンク制御情報メッセージが２つ以上の物理リソースブロックに関連づけられる場合、前記１つ以上の大規模なチャネル特性に関し地理的に同一である前記アンテナポートは、前記下りリンク制御情報メッセージに関連づけられた物理リソースブロックのための前記下りリンク制御情報メッセージに関連づけられたアンテナポートを備える、請求項１５に記載のワイヤレスデバイス（１６）。
【請求項１８】
前記発展型公共下りリンク制御チャネルに関する前記ワイヤレスデバイス（１６）の探索空間は、物理リソースの２つ以上のセットを含み、前記１つ以上の大規模なチャネル特性に関し地理的に同一である前記アンテナポートは、前記物理リソースの２つ以上のセットの同一セット内のアンテナポートを備える、請求項１５に記載のワイヤレスデバイス（１６）。
【請求項１９】
前記発展型公共下りリンク制御チャネルに関する前記ワイヤレスデバイス（１６）の探索空間は、物理リソースの２つ以上のセットを含み、
前記処理サブシステム（２０）はさらに、前記物理リソースの２つ以上のセット内のどのアンテナポートが前記１つ以上の大規模なチャネル特性に関し地理的に同一であるかを示す前記セルラー通信ネットワーク（１０）からの情報を受信するように構成される、請求項１５に記載のワイヤレスデバイス（１６）。
【請求項２０】
前記セルラー通信ネットワーク（１０）からの情報は、物理リソースの同一セット内のアンテナポートが前記１つ以上の大規模なチャネル特性に関し地理的に同一であることを示し、地理的に同一であり、前記１つ以上の大規模なチャネル特性の推定が基づいている、前記アンテナポートは、前記物理リソースの同一セットにおける前記アンテナポートを備える、請求項１９に記載のワイヤレスデバイス（１６）。
【請求項２１】
前記セルラー通信ネットワーク（１０）からの情報は、前記物理リソースの２つ以上のセットからの物理リソースの２つ以上の異なるセット内のアンテナポートが前記１つ以上の大規模なチャネル特性に関し地理的に同一であることを示し、地理的に同一であり、前記１つ以上の大規模なチャネル特性の推定が基づいている、前記アンテナポートは、前記物理リソースの２つ以上の異なるセットにおける前記アンテナポートを備える、請求項１９に記載のワイヤレスデバイス（１６）。
【請求項２２】
前記１つ以上の大規模なチャネル特性は、遅延拡散、ドップラー拡散、ドップラーシフト、平均利得、および平均遅延からなるグループの１つ以上を含む、請求項１に記載のワイヤレスデバイス（１６）。
【請求項２３】
セルラー通信ネットワーク（１０）におけるワイヤレスデバイス（１６）の動作の方法であって、
前記セルラー通信ネットワーク（１０）から下りリンクサブフレームを受信することであって、前記下りリンクサブフレームは、前記セルラー通信ネットワーク（１０）からの下りリンク制御チャネルを備える、受信することと、
前記下りリンク制御チャネルにおける関心のアンテナポートについての１つ以上の大規模なチャネル特性を前記１つ以上の大規模なチャネル特性に関し前記関心のアンテナポートと地理的に同一である前記セルラー通信ネットワーク（１０）におけるアンテナポートに対応する複数の基準信号のサブセットに基づいて推定することとを備える、方法。
【請求項２４】
セルラー通信ネットワーク（１０）の基地局（１４）であって、
無線サブシステム（２２）と、
前記無線サブシステム（２２）に関連づけられた処理サブシステム（２４）とを備え、
前記処理サブシステム（２４）は、前記無線サブシステム（２２）を介して下りリンクサブフレームを提供するように構成され、前記下りリンクサブフレームは、前記下りリンクサブフレームの下りリンク制御チャネル内で地理的に同一でなくてはならない複数のアンテナポートの１つ以上のサブセットを定義する１つ以上の予め定義された規則に従った前記複数のアンテナポートに対応する複数の基準信号を備える、基地局（１４）。
【請求項２５】
セルラー通信ネットワーク（１０）の基地局（１４）であって、
無線サブシステム（２２）と、
前記無線サブシステム（２２）に関連づけられた処理サブシステム（２４）とを備え、
前記処理サブシステム（２４）は、前記セルラー通信ネットワーク（１０）からの下りリンクのサブフレームの下りリンク制御チャネル内で地理的に同一であるアンテナポートを示す情報を前記無線サブシステム（２２）を介してワイヤレスデバイス（１６）に送るように構成される、基地局（１４）。
【請求項２６】
前記情報は、地理的に同一である前記アンテナポートを明示的に示す、請求項２５に記載の基地局（１４）。
【請求項２７】
前記情報は、地理的に同一である前記アンテナポートを暗黙的に示す、請求項２５に記載の基地局（１４）。
【請求項２８】
前記サブフレームは、前記下りリンク制御チャネルのためのリソースの複数のセットを含み、前記情報は、リソースの同一セット内のアンテナポートが１つ以上の大規模なチャネル特性に関し地理的に同一であるかどうかを示す、請求項２５に記載の基地局（１４）。
【請求項２９】
前記下りリンク制御チャネルは、発展型物理下りリンク制御チャネルである、請求項２８に記載の基地局（１４）。
【発明の詳細な説明】
【技術分野】
【０００１】
本願は、２０１２年８月３日に出願された仮特許出願番号第６１／６７９，３３５号の恩典を主張し、その開示は、その全内容が引用により本明細書に組み込まれる。
【０００２】
本開示は、大規模なまたは長期的なチャネル特性の推定のために利用され得るセルラー通信ネットワークにおける地理的に同一なアンテナポート（quasi co-located antenna ports）に関する。
【背景技術】
【０００３】
第３世代パートナーシッププロジェクト（３ＧＰＰ）ロングタームエボリューション（ＬＴＥ）は、下りリンクにおいて直交周波数分割多重（ＯＦＤＭ）を、上りリンクにおいて離散フーリエ変換（ＤＦＴ）拡散ＯＦＤＭを使用する。基礎となるＬＴＥ物理リソースはかくして、図１に示されているように時間周波数グリッドとして見ることができ、各リソース要素（ＲＥ）は、特定のアンテナポートでの１つのＯＦＤＭシンボル間隔中の１つのサブキャリアに対応する。アンテナポートは、そのアンテナポートでのシンボルが伝達されるチャネルが、同一のアンテナポートでの別のシンボルが伝達されるチャネルから推論され得るように、定義される。１アンテナポートあたり１つのリソースグリッドが存在する。特に、Ｅｒｉｋ  Ｄａｈｌｍａｎ  ｅｔ  ａｌ．，４Ｇ  ＬＴＥ／ＬＴＥ−Ａｄｖａｎｃｅｄ  ｆｏｒ  Ｍｏｂｉｌｅ  Ｂｒｏａｄｂａｎｄ，§１０．１．１．７（２０１１）において論じられているように、アンテナポートは、必ずしも特定の物理アンテナに対応するわけではなく、それよりも、たとえば複数の物理アンテナを使用したビームフォーミングを可能にするために導入された、より一般的な概念である。少なくとも下りリンクについて、アンテナポートは、基準信号の送信に対応する。そして、そのアンテナポートから送信される任意のデータは、整合のとれた復調のためのチャネル推定のために、その基準信号に依拠し得る。したがって、同一の基準信号が複数の物理アンテナから送信された場合、これらの物理アンテナは、単一のアンテナポートに対応する。同様に、２つの異なる基準信号が物理アンテナの同一のセットから送信された場合、これは、２つの別個のアンテナポートに対応する。
【０００４】
時間ドメインにおいて、ＬＴＥ下りリンク送信は、１０ミリ秒（ｍｓ）の無線フレームに編成され、各無線フレームは、図２に示されているように、１ｍｓの１０個の等しいサイズのサブフレームからなる。サブフレームは、各々が０．５ｍｓの時間持続時間の２つのスロットに分割される。ＬＴＥにおけるリソース割り付けは、リソースブロック（ＲＢ）または物理ＲＢ（ＰＲＢ）の観点で説明され、リソースブロックは、時間ドメインにおける１つのスロットと周波数ドメインにおける１２個の隣接した１５キロヘルツ（ｋＨｚ）のサブキャリアとに対応する。時間ドメインにおける２つの連続したリソースブロックは、リソースブロックペアを表し、スケジューリングが動作する時間間隔に対応する。
【０００５】
ＬＴＥにおける送信は、各サブフレームにおいて動的にスケジューリングされ、基地局は、物理下りリンク制御チャネル（ＰＤＣＣＨ）を介して、またＬＴＥリリース１１（Ｒｅｌ−１１）からは発展型ＰＤＣＣＨ（ｅＰＤＣＣＨ）を介して、ある特定のユーザ要素またはユーザ機器（ＵＥ）に下りリンクの割り当て／上りリンクの許可を送信する。ＰＤＣＣＨは、各サブフレームにおける最初のＯＦＤＭシンボル（単数または複数）において送信され、（おおよそ）システム帯域幅全体に及ぶ。ＰＤＣＣＨによって搬送された下りリンクの割り当てを復号したＵＥは、サブフレームにおけるどのリソース要素がそのＵＥに向けられたデータを含むのかが分かる。同様に、上りリンクの許可を受信すると、ＵＥは、それがどの時間／周波数リソースで送信すべきかが分かる。ＬＴＥ下りリンクにおいて、データは、物理下りリンク共有チャネル（ＰＤＳＣＨ）によって搬送される。上りリンクでは、対応するリンクは、物理上りリンク共有チャネル（ＰＵＳＣＨ）と呼ばれる。
【０００６】
ｅＰＤＣＣＨの定義は、３ＧＰＰにおいて進行中である。そのような制御シグナリングはおそらくＰＤＣＣＨと同様の機能を有するようになりそうである。しかしながら、ｅＰＤＣＣＨの基本的な違いは、ｅＰＤＣＣＨは、その復調のために、セル固有の基準信号（すなわち、共通基準信号（ＣＲＳ））ではなく、ＵＥ固有の基準信号（すなわち、復調基準信号（ＤＭＲＳ））を必要とするであろう、という点である。１つの利点は、ＵＥ固有の空間処理がｅＰＤＣＣＨのために活用され得るという点である。
【０００７】
ＰＤＳＣＨを介して送られたデータの復調は、無線チャネルの大規模なチャネル特性の推定を必要とする。このチャネル推定は、送信された基準シンボルを使用して実行され、基準シンボルは、基準信号（ＲＳ）のシンボルであり、受信機に既知である。ＬＴＥにおいて、ＣＲＳ基準シンボルは、すべての下りリンクサブフレームにおいて送信される。下りリンクチャネル推定を支援することに加えて、ＣＲＳ基準シンボルは、ＵＥによって実行されるモビリティ測定のためにも使用される。ＬＴＥはまた、復調目的のためのチャネル推定を支援することのみを狙いとした、ＵＥ固有のＲＳ基準シンボルをサポートする。図３は、下りリンクサブフレームを形成するＲＢペア内のリソース要素に対する物理制御／データチャネルおよび信号のマッピングの一例を示す。この例において、ＰＤＣＣＨは、３つの可能なＯＦＤＭシンボルからの最初のシンボルを占有する。よって、この特定のケースでは、データのマッピングは、２番目のＯＦＤＭシンボルから開始し得る。ＣＲＳはセル内のすべてのＵＥに共通であるので、ＣＲＳの送信は、特定のＵＥのニーズに合うように容易に適合させられることはできない。これは、各ＵＥがＰＤＳＣＨの一部として図３のデータ領域に配置されたそれ独自のＵＥ固有のＲＳを有する、ＵＥ固有のＲＳとは対照的である。
【０００８】
制御領域の長さは、サブフレーム毎に異なり得、物理制御フォーマットインジケータチャネル（ＰＣＦＩＣＨ）で伝達される。ＰＣＦＩＣＨは、制御領域内でＵＥに既知の位置で送信される。ＵＥがＰＣＦＩＣＨを復号した後、ＵＥは、制御領域のサイズと、どのＯＦＤＭシンボルにおいてデータ送信が始まるかが分かる。物理ハイブリッド自動再送要求（ＨＡＲＱ）インジケータは、以前のサブフレームにおける対応する上りリンクデータ送信が基地局によって成功裏に復号されたかどうかをＵＥに知らせるためのＵＥへのＡＣＫ／ＮＡＣＫ応答を搬送するが、これもまた制御領域において送信される。
【０００９】
ＬＴＥリリース１０（Ｒｅｌ−１０）では、ＵＥへのすべての制御メッセージがＣＲＳを使用して復調される。したがって、制御メッセージは、セル内のすべてのＵＥに到達するセルワイドなカバレッジを有する。例外は、プライマリ同期信号（ＰＳＳ）とセカンダリ同期信号（ＳＳＳ）であり、これらは、スタンドアロンであり、復調前のＣＲＳの受信を必要としない。構成に依存して、サブフレームにおける４つのＯＦＤＭシンボルに対する最初のＯＦＤＭシンボルが、そのような制御情報のために予約される。制御メッセージは、セル内の１つのＵＥにのみ送られる必要がある制御メッセージ（すなわち、ＵＥ固有の制御メッセージ）と、セル内のすべてのＵＥまたはセル内の２つ以上の数のＵＥのあるサブセットに送られる必要がある制御メッセージ（すなわち、共通制御メッセージ）とに、カテゴライズされ得る。
【００１０】
図４に示されているように、ＰＤＣＣＨタイプの制御メッセージは、ＣＲＳを使用して復調され、制御チャネル要素（ＣＣＥ）と呼ばれる倍数の単位で送信され、各ＣＣＥは、３６個のＲＥを含む。ＰＤＣＣＨは、制御メッセージのリンク適合を可能にするために１、２、４、または８つのＣＣＥのアグリゲーションレベル（ＡＬ）を有し得る。さらに、各ＣＣＥは、各々が４つのＲＥからなる９つのリソース要素グループ（ＲＥＧ）にマッピングされる。これらのＲＥＧは、ＣＣＥのための周波数ダイバーシティを提供するためにシステム帯域幅全体にわたって分散させられる。したがって、ＰＤＣＣＨは、最大８つのＣＣＥからなり、構成に依存して、４つのＯＦＤＭシンボルに対する最初のＯＦＤＭシンボルにおいて全システム帯域幅に及ぶ。
【００１１】
ＬＴＥ  Ｒｅｌ−１１では、発展型制御チャネルの形態で制御情報のＵＥ固有の送信を導入することが合意されている。より具体的には、データ領域に配置されたＵＥ固有のＲＳに基づく送信を使用したＵＥへの一般的な制御メッセージの送信を可能にすることが合意されている。これは、ｅＰＤＣＣＨ、発展型物理ＨＡＲＱインジケータチャネル（ｅＰＨＩＣＨ）、等として一般に知られている。図５は、１０個のＲＢペアを示す下りリンクサブフレームおよび各々が１ＲＢペアサイズである３つのｅＰＤＣＣＨ領域の構成を示す。残りのＲＢペアは、ＰＤＳＣＨ送信のために使用され得る。ＬＴＥ  Ｒｅｌ−１１におけるｅＰＤＣＣＨについて、図６に示されているごとく、ノーマルなサブフレームおよびノーマルなサイクリックプレフィックスの復調のために、アンテナポートｐ∈｛１０７、１０８、１０９、１１０｝を使用することが合意されている。より具体的には、図６は、１つのＰＲＢペアについてＬＴＥにおけるｅＰＤＣＣＨのために使用されるＵＥ固有の基準シンボル（すなわち、ＤＭＲＳ基準シンボル）のＲＥ位置の例を示している。ＬＴＥ  Ｒｅｌ．１１からは、２つ以上のＵＥが、いくつかのケースにおいて、それらのそれぞれのｅＰＤＣＣＨメッセージを復調するために同一のＤＭＲＳ基準シンボルを互いが使用することを知らない場合がある、ということに注意する。そのようなものとして、「ＵＥ固有」とは、ＵＥの見地から見られたものとして解釈されるべきである。ＲＳポートＲ７およびＲ９はそれぞれ、アンテナポート１０７および１０９に対応するＤＭＲＳ基準シンボルを表す。加えて、アンテナポート１０８および１１０はそれぞれ、ＲＳポートＲ７およびＲ９の隣り合うペアにわたって直交カバー（１、−１）を適用することにより得られ得る。ｅＰＤＣＣＨは、プリコーディング利得が制御チャネルのために達成されることを可能にする。ｅＰＤＣＣＨの別の利点は、異なるＰＲＢペア（または発展型制御領域）が異なるセルまたはセル内の異なる送信ポイントに割り付けられ得、そのようなものとして、制御チャネル間のセル間またはポイント間干渉協調が達成され得ることである。これは特に、以下に論じられるように、異種ネットワークシナリオのために有用である。
【００１２】
ポイントの概念は、協調マルチポイント（ＣｏＭＰ）のための技法とともに大いに使用される。この文脈において、ポイントは、本質的に同一の地理的エリアを同様にカバーするアンテナのセットに対応する。したがって、ポイントは、ある基地での複数のセクターの１つ（すなわち、発展型ノードＢ（ｅＮＢ）によってサービス提供されるセルの２つ以上のセクターの１つ）に対応し得るが、それはまた、すべてが同様の地理的エリアをカバーすることを意図する１つ以上のアンテナを有する基地に対応し得る。しばしば、異なるポイントは、異なる基地を表す。アンテナは、それらが地理的に十分に離れている場合および／または十分に異なる方向を向いているアンテナダイヤグラムを有する場合、異なるポイントに対応する。ＣｏＭＰのための技法は、スケジューリングの視点からのポイントが他のポイントと多かれ少なかれ独立して動作させられる従来のセルラーシステムとは対照的に、異なるポイント間でのスケジューリングまたは送信／受信における依存性を導入することを必然的に伴う。下りリンクＣｏＭＰ動作は、たとえば、スペクトルの重複部分または非重複部分で、異なる時間インスタンスまたは所与のサブフレームのいずれかで、複数のポイントからある特定のＵＥにサービス提供することを含み得る。ある特定のＵＥにサービス提供する送信ポイント間の動的な切り替えはしばしば、動的ポイント選択（ＤＰＳ）と呼ばれる。重複リソースで複数のポイントからＵＥに同時にサービス提供することはしばしば、ジョイント送信（ＪＴ）と呼ばれる。ポイント選択は、たとえば、チャネル、干渉、またはトラヒックの瞬間条件に基づき得る。ＣｏＭＰ動作は、データチャネル（たとえば、ＰＤＳＣＨ）および／または制御チャネル（たとえば、ｅＰＤＣＣＨ）のために実行されるように意図される。
【００１３】
同一のｅＰＤＣＣＨ領域は、互いに対しそれほど干渉していないセル内の異なる送信ポイントまたは異なるセルに属する異なる送信ポイントによって使用され得る。典型的なケースは、図７に示された共有セルシナリオである。示されているように、異種ネットワークは、マクロノードのカバレッジエリア内に、マクロノードまたはマクロ基地局と、より低い電力の複数のピコノードまたはピコ基地局とを含む。同一のｅＰＤＣＣＨ領域は、マクロノードとピコノードとによって使用され得る。本出願全体を通して、ネットワーク内のノードまたはポイントはしばしば、ある特定のタイプ、たとえば、「マクロ」または「ピコ」として言及される、ということに注意する。そうでないと明確に記載されていない限り、これは、ネットワーク内のノード／ポイントの役割の絶対的定量として解釈されるべきではなく、異なるノード／ポイントの互いに対する役割を論じる便宜上の手法として解釈されるべきである。したがって、マクロノード／ポイントとピコノード／ポイントとについての議論は、たとえば、マクロノード／ポイントとフェムトノード／ポイントとの間のインタラクションにも同様に適用可能であり得る。
【００１４】
ピコノードＢおよびＣのような地理的に離れているピコノードのために、同一のｅＰＤＣＣＨ領域が再利用され得る。このように、所与のＰＲＢリソースがセルの異なる部分において潜在的に複数回再利用されるので、共有セルにおける合計制御チャネル容量は増大するであろう。これは、エリアスプリッティング利得が得られることを保証する。例が図８において与えられ、ピコノードＢおよびＣが同一のｅＰＤＣＣＨ領域を共有する。逆に、近接しているがゆえにピコノードＡとＢおよびピコノードＡとＣは互いに干渉するリスクがあるので、ピコノードＡは、ピコノードＢおよびＣの共有ｅＰＤＣＣＨ領域と重複しないｅＰＤＣＣＨ領域を割り当てられる。共有マクロセル内での、ピコノードＡとＢ、すなわち言い換えると、送信ポイントＡとＢとの間の干渉協調が、それにより達成される。同様に、共有マクロセル内での、ピコノードＡとＣ、すなわち言い換えると、送信ポイントＡとＣとの間の干渉協調が、それにより達成される。いくつかのケースにおいて、ＵＥは、ｅＰＤＣＣＨシグナリングの一部をマクロセルから、ｅＰＤＣＣＨシグナリングの他の部分を近くのピコセルから、受信する必要があり得る。ＰＤＣＣＨは帯域幅全体に及ぶので、このエリアスプリッティングおよび制御チャネル周波数協調はＰＤＣＣＨでは不可能である。また、ＰＤＣＣＨは、それが復調のためにＣＲＳの使用に依拠するので、ＵＥ固有のプリコーディングを使用する可能性を提供しない。
【００１５】
図９は、ＰＤＣＣＨにおけるＣＣＥと同様に、複数のグループに分割され、サブフレームの発展型制御領域の１つにマッピングされた、ｅＰＤＣＣＨを示す。図９において、ｅＰＤＣＣＨ領域は、サブフレームにおけるＰＤＣＣＨの同時送信に適応するために、ＯＦＤＭシンボル０から開始しない、ということに注意する。しかしながら、ＰＤＣＣＨを有しない将来のＬＴＥリリースにおけるキャリアタイプが存在し得、そのケースでは、ｅＰＤＣＣＨ領域はサブフレーム内のＯＦＤＭシンボル０から開始し得る。
【００１６】
たとえｅＰＤＣＣＨが上述されたようにＵＥ固有のプリコーディングおよび局在化送信を可能にするとしても、いくつかのケースでは、ブロードキャストワイドエリアカバレッジでｅＰＤＣＣＨを送信可能であることが有用であり得る。これは、基地局（すなわち、ｅＮＢ）がある特定のＵＥへのプリコーディングを実行するための信頼性の高い情報を有しない場合、有用である。この状況において、ワイドエリアカバレッジ送信はよりロバストである。別のケースは、特定の制御メッセージが２つ以上のＵＥのために意図されている場合である。このケースでは、ＵＥ固有のプリコーディングは使用されることができない。例は、ＰＤＣＣＨを使用した（すなわち、共通探索空間（ＣＳＳ）における）共通制御情報の送信である。これらのケースのいずれにおいても、サブフレーム内の複数のｅＰＤＣＣＨ領域にわたる分散送信が使用され得る。そのような分散の一例が図１０に示され、同一のｅＰＤＣＣＨに属する４つの部分が、サブフレーム内で複数の発展型制御領域にわたって分散されている。３ＧＰＰ  ｅＰＤＣＣＨの開発において、ｅＰＤＣＣＨの分散送信と局在化送信の両方がサポートされることが合意されている。ｅＰＤＣＣＨの分散送信が使用される場合、それはまた、アンテナダイバーシティがｅＰＤＣＣＨメッセージのダイバーシティオーダーを最大化するために達成され得る場合にも有益である。一方で、時に広帯域チャネル品質情報と広帯域プリコーディング情報しか基地局で利用可能でない場合があり、そのケースでは、分散送信であるがＵＥ固有の広帯域プリコーディングを用いた実行が有用であり得る。
【００１７】
上述されたように、ＬＴＥにおけるｅＰＤＣＣＨのような発展型制御シグナリングは、多くの利点を提供する。しかしながら、進歩型のネットワークアーキテクチャ（たとえば、異種ネットワークアーキテクチャ）および下りリンクＣｏＭＰは、解決されなくてはならない問題を招く。特に、以下に論じられるように、発明者は、改善されたチャネル推定技法のためのシステムおよび方法に対するニーズが存在することを見出した。
【発明の概要】
【００１８】
セルラー通信ネットワークからの下りリンクの１つ以上のチャネル特性を１つ以上のチャネル特性に関する地理的に同一なアンテナポートに基づいて推定するためのシステムおよび方法が開示される。一実施形態では、ワイヤレスデバイスが、セルラー通信ネットワークから下りリンク制御チャネルを含む下りリンクサブフレームを受信する。ワイヤレスデバイスは、下りリンク制御チャネルにおける関心のアンテナポートについての１つ以上の大規模なチャネル特性を、１つ以上のチャネル特性に関し関心のアンテナポートと地理的に同一であるセルラー通信ネットワークにおけるアンテナポートに対応するＲＳのサブセットに基づいて推定する。１つ以上のチャネル特性を、１つ以上の大規模なチャネル特性が推定される関心のアンテナポートに対応する単一のＲＳではなく、地理的に同一なアンテナポートに対応するＲＳのサブセットに基づいて推定することにより、１つ以上の大規模なチャネル特性の推定が大幅に改善される。
【００１９】
一実施形態において、セルラー通信ネットワークは、ロングタームエボリューション（ＬＴＥ）セルラー通信ネットワークであり、下りリンク制御チャネルは、発展型公共下りリンク制御チャネル（ｅＰＤＣＣＨ）である。一実施形態において、ワイヤレスデバイスは、ｅＰＤＣＣＨにおけるＲＳに対応するアンテナポートがアンテナポート間および下りリンクサブフレーム内の物理リソースブロック間で大規模なチャネル特性に関し地理的に同一であることを想定しない。１つの特定の実施形態において、ワイヤレスデバイスは、ｅＰＤＣＣＨにおける下りリンク制御情報（ＤＣＩ）メッセージが２つ以上の復調ＲＳ（ＤＭＲＳ）ポートおよび／または２つ以上の物理リソースブロックに関連づけられるかどうかを決定する。そうである場合、ｅＰＤＣＣＨ内のＲＳポートの１つ以上のチャネル特性に関し地理的に同一であるアンテナポートは、ＤＣＩメッセージに関連づけられたアンテナポート、好ましくはすべてのアンテナポートを含む。
【００２０】
別の特定の実施形態において、ワイヤレスデバイスの探索空間を形成するｅＰＤＣＣＨリソースは、ｅＰＤＣＣＨリソースの２つ以上のセットに分割され、ｅＰＤＣＣＨリソースの同一セット内のアンテナポートは少なくとも、セルラー通信ネットワークのための１つ以上の予め定義された規則に従って１つ以上の大規模なチャネル特性に関し地理的に同一でなくてはならない。この実施形態では、ワイヤレスデバイスは、ｅＰＤＣＣＨ内のＲＳポートについての１つ以上の大規模なチャネル特性を、ｅＰＤＣＣＨリソースの同一セット内のアンテナポート、したがって、１つ以上の大規模なチャネル特性に関し地理的に同一であるアンテナポートに対応する、ＲＳのサブセットに基づいて推定する。
【００２１】
別の特定の実施形態において、ワイヤレスデバイスの探索空間を形成するｅＰＤＣＣＨリソースは、ｅＰＤＣＣＨリソースの２つ以上のセットに分割される。ワイヤレスデバイスは、下りリンクサブフレーム内のｅＰＤＣＣＨリソースの同一セット内のアンテナポートが１つ以上の大規模なチャネル特性に関し地理的に同一であるかどうかを示すセルラー通信ネットワークワークからのシグナリングを受信する。そうである場合、ワイヤレスデバイスは、ｅＰＤＣＣＨ内のＲＳポートについての１つ以上の大規模なチャネル特性を、ｅＰＤＣＣＨリソースの同一セット内のアンテナポート、したがって、１つ以上の大規模なチャネル特性に関し地理的に同一であるアンテナポートに対応する、ＲＳのサブセットに基づいて推定する。１つのさらなる実施形態において、ワイヤレスデバイスは、下りリンクサブフレーム内のｅＰＤＣＣＨリソースの２つ以上の異なるセット内のアンテナポートが１つ以上の大規模なチャネル特性に関し地理的に同一であるかどうかを示すセルラー通信ネットワークワークからのシグナリングを受信し得る。ｅＰＤＣＣＨリソースの２つ以上の異なるセット内のアンテナポートが地理的に同一である場合には、ワイヤレスデバイスは、ｅＰＤＣＣＨ内のＲＳポートについての１つ以上の大規模なチャネル特性を、ｅＰＤＣＣＨリソースの２つ以上の異なるセット内のアンテナポート、したがって、１つ以上の大規模なチャネル特性に関し地理的に同一であるアンテナポートに対応する、ＲＳのサブセットに基づいて推定する。
【００２２】
一実施形態において、セルラー通信ネットワークにおける基地局は、無線サブシステムと無線サブシステムに関連づけられた処理サブシステムとを含む。処理サブシステムは、下りリンクサブフレームの下りリンク制御チャネル内で地理的に同一でなくてはならないアンテナポートの１つ以上のサブセットを定義する１つ以上の予め定義された規則に従って、複数のアンテナポートに対応する複数のＲＳを含む下りリンクサブフレームを無線サブシステムを介して提供する。このように、基地局は、ワイヤレスデバイスが、たとえば、１つ以上の大規模なチャネル特性を１つ以上の大規模なチャネル特性に関し地理的に同一なアンテナポートに対応する下りリンクサブフレーム内のＲＳのサブセットに基づいて推定することを可能にする。
【００２３】
別の実施形態において、セルラー通信ネットワークにおける基地局は、無線サブシステムと無線サブシステムに関連づけられた処理サブシステムとを含む。処理サブシステムは、セルラー通信ネットワークからの下りリンクのサブフレームの下りリンク制御チャネル内で地理的に同一であるアンテナポートを示す情報を無線サブシステムを介してワイヤレスデバイスに送る。この情報を使用して、ワイヤレスデバイスは、たとえば、１つ以上の大規模なチャネル特性を１つ以上の大規模なチャネル特性に関し地理的に同一なアンテナポートに対応するＲＳに基づいて推定することが可能になる。
【００２４】
当業者は、好ましい実施形態の以下の詳細な説明を添付図面の図に関連づけて読んだ後、本開示の範囲を理解し、その追加の態様を認識するであろう。
【００２５】
本明細書の一部に組み込まれ、その一部を形成する添付図面の図は、本開示のいくつかの態様を示し、説明と共に本開示の原理を説明する役割を果たす。
【図面の簡単な説明】
【００２６】
【図１】図１は、第３世代パートナーシッププロジェクト（３ＧＰＰ）ロングタームエボリューション（ＬＴＥ）セルラー通信ネットワークにおける下りリンクのリソースブロックを示す図である。
【図２】図２は、３ＧＰＰ  ＬＴＥセルラー通信ネットワークにおける下りリンクの時間ドメイン構造を示す図である。
【図３】図３は、３ＧＰＰ  ＬＴＥセルラー通信ネットワークにおける下りリンクサブフレーム内の、ＬＴＥ物理制御シグナリング、データリンク、および共通基準信号（ＣＲＳ）のマッピングを示す図である。
【図４】図４は、３ＧＰＰ  ＬＴＥセルラー通信ネットワークにおける下りリンクサブフレーム内の制御領域に対する公共下りリンク制御チャネル（ＰＤＣＣＨ）に属する１つの制御チャネル要素（ＣＣＥ）のマッピングを示す図である。
【図５】図５は、３ＧＰＰ  ＬＴＥセルラー通信ネットワークにおける下りリンクサブフレームにおける、発展型制御領域または発展型ＰＤＣＣＨ（ｅＰＤＣＣＨ）領域を示す図である。
【図６】図６は、ｅＰＤＣＣＨのために使用される復調基準信号（ＤＭＲＳ）ポートであって、アンテナポートに対応するＤＭＲＳポートの例を示す図である。
【図７】図７は、セルラー通信ネットワークのための異種ネットワークアーキテクチャを示す図である。
【図８】図８は、いくつかのｅＰＤＣＣＨリソース領域が異種ネットワークアーキテクチャにおけるピコノードによって干渉なしに再利用される、異なるｅＰＤＣＣＨリソース領域を示す図である。
【図９】図９は、下りリンクサブフレームにおけるｅＰＤＣＣＨ領域の１つにマッピングされたｅＰＤＣＣＨに属するＣＣＥを含む下りリンクサブフレームを示す図である。
【図１０】図１０は、分散送信および周波数ダイバーシティまたはサブバンドプリコーディングを達成するために複数のｅＰＤＣＣＨ領域にマッピングされたｅＰＤＣＣＨに属するＣＣＥを含む下りリンクサブフレームを示す図である。
【図１１】図１１は、本開示の一実施形態に係る、ワイヤレスデバイスが地理的に同一なアンテナポートに対応する基準信号を使用して下りリンク制御チャネルについてのチャネル推定を実行するセルラー通信ネットワークを示す図である。
【図１２Ａ】図１２Ａは、本開示の一実施形態に係る、下りリンクサブフレーム内の地理的に同一なアンテナポートに対応する基準信号が下りリンク制御チャネルのチャネル推定のために利用されるセルラー通信ネットワークの一例を示す図である。
【図１２Ｂ】図１２Ｂは、本開示の一実施形態に係る、下りリンクサブフレーム内の地理的に同一なアンテナポートに対応する基準信号が下りリンク制御チャネルのチャネル推定のために利用されるセルラー通信ネットワークの別の例を示す図である。
【図１３】図１３は、本開示の一実施形態に係る、地理的に同一なアンテナポートに対応する下りリンクサブフレームにおける基準信号を使用して下りリンク制御チャネルについてのチャネル推定を提供する図１１のセルラー通信ネットワークの動作を示す図である。
【図１４】図１４は、本開示の一実施形態に係る、地理的に同一なアンテナポートがセルラー通信ネットワークによってシグナリングされる、地理的に同一なアンテナポートに対応する基準信号を使用して下りリンク制御チャネルについてのチャネル推定を提供する図１１のセルラー通信ネットワークの動作を示す図である。
【図１５】図１５は、本開示の一実施形態に係る、地理的に同一なアンテナポートがセルラー通信ネットワークのために予め定義される、地理的に同一なアンテナポートに対応する基準信号を使用して下りリンク制御チャネルについてのチャネル推定を提供する図１１のセルラー通信ネットワークの動作を示す図である。
【図１６】図１６は、サブフレーム内の複数のｅＰＤＣＣＨリソース領域を示す図である。
【図１７Ａ】図１７Ａは、図１６のｅＰＤＣＣＨリソース領域において見出される異なるアンテナポートに対応する異なるＣＲＳポートを示す図である。
【図１７Ｂ】図１７Ｂは、図１６のｅＰＤＣＣＨリソース領域において見出される異なるアンテナポートに対応する異なるＣＲＳポートを示す図である。
【図１７Ｃ】図１７Ｃは、図１６のｅＰＤＣＣＨリソース領域において見出される異なるアンテナポートに対応する異なるＣＲＳポートを示す図である。
【図１８Ａ】図１８Ａは、図１６のｅＰＤＣＣＨリソース領域において見出される異なるアンテナポートに対応する異なる復調基準信号（ＤＭＲＳ）ポートを示す図である。
【図１８Ｂ】図１８Ｂは、図１６のｅＰＤＣＣＨリソース領域において見出される異なるアンテナポートに対応する異なる復調基準信号（ＤＭＲＳ）ポートを示す図である。
【図１９】図１９は、図１６のｅＰＤＣＣＨリソース領域において見出される異なるアンテナポートに対応する異なるチャネル状態情報基準信号（ＣＳＩ−ＲＳ）ポートを示す図である。
【図２０】図２０は、本開示の一実施形態に係る、地理的に同一なアンテナポートに対応するＲＳに基づいてｅＰＤＣＣＨ領域内の基準信号（ＲＳ）ポートについてのチャネル推定を実行する図１１のワイヤレスデバイスの動作を示す図である。
【図２１】図２１は、ｅＰＤＣＣＨリソースの同一セット内のアンテナポートが地理的に同一であるものとして予め定義される本開示の別の実施形態に係る、地理的に同一なアンテナポートに対応するＲＳに基づいてｅＰＤＣＣＨ領域内のＲＳポートについてのチャネル推定を実行する図１１のワイヤレスデバイスの動作を示す図である。
【図２２】図２２は、本開示の一実施形態に係る、ｅＰＤＣＣＨリソースのセットにおけるすべてのアンテナポートが地理的に同一でなくてはならないことを示す１つ以上の予め定義された規則に従ってｅＰＤＣＣＨを送信する図１１のセルラー通信ネットワークの基地局の動作を示す図である。
【図２３】図２３は、地理的に同一であるｅＰＤＣＣＨリソースの同一セットおよびｅＰＤＣＣＨリソースの潜在的に異なるセット内のアンテナポートがワイヤレスデバイスにシグナリングされる本開示の別の実施形態に係る、地理的に同一なアンテナポートに対応するＲＳに基づいてｅＰＤＣＣＨ領域内のＲＳポートについてのチャネル推定を実行する図１１のワイヤレスデバイスの動作を示す図である。
【図２４】図２４は、本開示の一実施形態に係る図２３の処理の一例を示す図である。
【図２５】図２５は、本開示の一実施形態に係るワイヤレスデバイスのブロック図である。
【図２６】図２６は、本開示の一実施形態に係る基地局のブロック図である。
【発明を実施するための形態】
【００２７】
以下に説明される実施形態は、実施形態を実現することを当業者に可能にさせ、実施形態を実現するベストモードを示すために必要な情報を表す。添付図面の図に照らして以下の説明を読むことにより、当業者は、本開示の概念を理解するであろうし、本明細書において特に対処されていないこれらの概念の応用例を認識するであろう。これらの概念および応用例が本開示および添付の請求項の範囲内に含まれることが理解されるべきである。
【００２８】
第３世代パートナーシッププロジェクト（３ＧＰＰ）ロングタームエボリューション（ＬＴＥ）仕様書からの専門用語が本開示の好ましい実施形態を例示するために以下の説明の大半で使用されるが、これは、本開示の範囲を３ＧＰＰ  ＬＴＥのみに限定するものとして見られるべきではない、ということに注意する。たとえば、広帯域符号分割多元接続（ＷＣＤＭＡ）、ワールドワイドインターオペラビリティフォーマイクロウェーブアクセス（ＷｉＭａｘ）、ウルトラモバイルブロードバンド（ＵＭＢ）、および移動体通信のための世界システム（ＧＳＭ）であるがこれらに限定されない、他のワイヤレスシステムもまた、本明細書において開示される概念を活用することから恩恵を受け得る。
【００２９】
本開示のさまざまな実施形態を論じる前に、発明者によって発見された基本的な問題を論じることが有益である。３ＧＰＰ  ＬＴＥセルラー通信ネットワークの設計を導く原理の１つは、ユーザ機器（ＵＥ）に対するネットワーク透過性である。すなわち、ＬＴＥにおいてＵＥは、その意図されたチャネルを、他のＵＥまたはネットワーク展開についてのスケジューリングの割り当ての特定の知識なしに復調および復号することができる。しかしながら、下りリンク協調マルチポイント（ＣｏＭＰ）および分散させられた上りリンクおよび下りリンクといった進歩型のシナリオでは、ネットワーク透過性のこの概念は、サブフレーム内の基準信号がセルラー通信ネットワークにおける同一の送信ポイントから発せられたものであることをＵＥが想定できない、という事実を結果として生じる。
【００３０】
たとえば、ＬＴＥでは、発展型物理下りリンク制御チャネル（ｅＰＤＣＣＨ）で異なる下りリンク制御情報（ＤＣＩ）メッセージが異なる送信ポイントに属するポートから送信され得る。異なるポイントからの制御シグナリングによってＵＥにサービス提供するのにはいくつかの理由があるが、１つの応用例は、スケジューリングアルゴリズムの一部を、たとえば、下りリンク（ＤＬ）送信が上りリンク（ＵＬ）送信と異なるポイントに関連づけられるように、異なるポイントに分散させることからなる。このシナリオは、本明細書では分散させられた上りリンクおよび下りリンクのシナリオと呼ばれる。そのようなケースでは、それぞれのポイントから直接提供された制御シグナリングによって下りリンク送信と上りリンク送信とをスケジューリングすることが理にかなう。別の例として、ＵＥは、（たとえば、データレートを増大させるために、またはポイント間のハンドオーバー中に）異なるポイントからのパラレルなデータ送信によってサービス提供され得る。別の例として、システム制御情報が、「マスター」ポイントから送信され得、データ送信は、典型的にはピコノードに関連づけられた他のポイントから送信され得る。上記例のすべてにおいて、同一のサブフレームにおける異なるポイントからのｅＰＤＣＣＨでの制御シグナリングによってＵＥにサービス提供する可能性を有することが理にかなう。しかしながら、ネットワーク透過性ゆえに、ＵＥは、各基準信号（ＲＳ）ポートが送信される地理的な位置を認識しない。
【００３１】
復調ＲＳ（ＤＭＲＳ）またはＵＥ固有のＲＳが、データチャネルおよび場合によってはある特定の制御チャネル（すなわち、ｅＰＤＣＣＨ）の復調のために用いられる。ＤＭＲＳは、ＵＥに送信の特性の多くを知る必要を無くさせ、かくして、フレキシブルな送信スキームがネットワークサイドから使用されることを可能にする。これは、（ＵＥに対する）送信透過性と呼ばれる。しかしながら、発明者は、ＤＭＲＳの推定精度がいくつかの状況において十分でない場合があることを見出した。
【００３２】
ＲＳポートの地理的分離は、各ポートからＵＥへの瞬間チャネル係数が一般的に異なることを意味する。さらに、異なるＲＳポートおよびＲＳタイプについてのチャネルの統計的特性さえも著しく異なり得る。そのような統計的特性の例は、各ポートについての受信電力、遅延拡散、ドップラー拡散、受信タイミング（すなわち、最初の著しいチャネルタップのタイミング）、いくつかの著しいチャネルタップ、周波数シフト、平均利得、および平均遅延を含む。ＬＴＥでは、あるアンテナポートに対応するチャネルの特性について、別のアンテナポートのチャネルの特性に基づいて何も想定されることができない。これは実際、送信透過性を維持することの重要な部分である。
【００３３】
上記観察に基づいて、発明者は、ＵＥが各ＲＳのための関心の各ＲＳポートについて独立した推定を実行する必要があることを見出した。一般的に、これは、ある特定のＲＳポートについての時折不適切なチャネル推定品質、という結果を生じ、望ましくないリンクおよびシステム性能の劣化を招く。しかしながら、発明者はまた、一般的に各アンテナポートから各ＵＥ受信ポートまでのチャネルは本質的に一意であるが、いくつかの統計的特性および伝播パラメータは、異なるアンテナポートが同一の送信ポイントから発せられたものであるか否かに依存して、異なるアンテナポート間で共通または同様であり得ることを見出した。そのような特性は、たとえば、各アンテナポートについての受信電力レベル、遅延拡散、ドップラー拡散、受信タイミング（すなわち、最初の著しいチャネルタップのタイミング）、周波数シフト、平均利得、および平均遅延を含む。かくして、１つのＲＳポートについてのチャネル推定は、十分に同様のチャネル特性を有する他のＲＳポートに基づいて実行され得る。
【００３４】
典型的には、チャネル推定アルゴリズムは、３つのステップの動作を実行する。第１のステップは、チャネルのいくつかの統計的特性を推定することである。第２のステップは、推定された統計的特性に基づいて推定フィルタを生成することである。第３のステップは、チャネル推定を得るために受信信号に推定フィルタを適用することである。推定フィルタは、時間ドメインまたは周波数ドメインにおいて等しく適用され得る。いくつかのチャネル推定器の実装は、上述された３つのステップの方法に基づかない場合があるが、それでもなお同一の原理を活用し得る。
【００３５】
明らかに、第１のステップにおけるフィルタパラメータの精確な推定は、改善されたチャネル推定につながる。しばしば原理上、ＵＥは、単一のサブフレームにわたるおよび１つのＲＳポートについてのチャネルの観察からそのようなフィルタパラメータを得ることが可能であるが、ＵＥが同様の統計的特性を共有する異なるアンテナポート（すなわち、異なるＲＳ送信）に関連づけられた測定を組み合わせることによってフィルタパラメータの推定精度を改善することが通常可能である。さらに、チャネル推定精度は、複数のＰＲＢに関連づけられたＲＳを組み合わせることによって改善され得る。
【００３６】
セルラー通信ネットワークからの下りリンクの１つ以上のチャネル特性を１つ以上のチャネル特性に関する地理的に同一なアンテナポートに基づいて推定するためのシステムおよび方法が本明細書において開示される。以下に説明される好ましい実施形態では、３ＧＰＰ  ＬＴＥセルラー通信ネットワークからの下りリンクサブフレームに含まれたｅＰＤＣＣＨについての１つ以上のチャネル特性を推定するためのシステムおよび方法が開示される。再び、本明細書に開示される好ましい実施形態はＬＴＥにフォーカスするが、本明細書に開示される概念は、下りリンクについての１つ以上のチャネル特性を推定するために、特に、他のタイプのセルラー通信ネットワークからの下りリンクサブフレームにおける下りリンク制御チャネルにおいて、利用され得る。
【００３７】
一実施形態において、ワイヤレスデバイスは、セルラー通信ネットワークから受信された下りリンクサブフレームのｅＰＤＣＣＨ内の関心のアンテナポートについての１つ以上の大規模なチャネル特性を下りリンクの下りリンクサブフレーム内のＲＳのサブセットに基づいて推定する。１つ以上の大規模なチャネル特性を推定するために使用されるＲＳのサブセットは、ｅＰＤＣＣＨの１つ以上のチャネル特性に関し関心のアンテナポートと地理的に同一なセルラー通信ネットワークにおけるアンテナポートに対応する。好ましくは、地理的に同一なアンテナポートに対応するＲＳのサブセットに加えて、推定はまた、ｅＰＤＣＣＨ内の関心のアンテナポートに対応するＲＳにも基づく。１つ以上のチャネル特性を、１つ以上の大規模なチャネル特性が推定されるアンテナポートに対応する単一のＲＳだけでなく、地理的に同一なアンテナポートに対応するＲＳのサブセットに基づいて推定することにより、１つ以上の大規模なチャネル特性の推定が大幅に改善される。
【００３８】
この点について、図１１は、本開示の一実施形態に係る、サブフレーム内の地理的に同一なアンテナポートからのＲＳに基づいたチャネル推定を可能にするセルラー通信ネットワーク１０を示す。この実施形態において、セルラー通信ネットワーク１０は、３ＧＰＰ  ＬＴＥセルラー通信ネットワークである。図示されているように、セルラー通信ネットワーク１０は、無線アクセスネットワーク（ＲＡＮ）１２を含み、無線アクセスネットワーク（ＲＡＮ）１２自体は、基地局（ＢＳ）１４を含む。基地局１４は、対応するサービスエリアまたはセル内に位置するワイヤレスデバイス（ＷＤ）１６のようなワイヤレスデバイスにサービスを提供する。ＲＡＮ１２に含まれる基地局１４は、マクロまたは高電力基地局（すなわち、発展型ノードＢ（ｅＮＢ））、ピコまたは他の低電力基地局、またはその組み合わせであり得る。
【００３９】
図１１に示されているように、また図１２Ａにより具体的に示されているように、１つの特定の実施形態において、ＲＡＮ１２およびＷＤ１６は、ＷＤ１６のための分散させられたＵＬおよびＤＬを提供するように動作する。特に、ＷＤ１６からの上りリンクデータ送信（すなわち、物理上りリンク共有チャネル（ＰＵＳＣＨ））は、ＲＡＮ１２における第１のポイント（たとえば、第１の基地局１４）に向けられ、同第１のポイントによってスケジューリングされる一方で、ＷＤ１６へのＤＬデータ送信（すなわち、物理下りリンク共有チャネル（ＰＤＳＣＨ））は、ＲＡＮ１２における第２のポイント（たとえば、第２の基地局１４）から送信され、同第２のポイントによってスケジューリングされる。これは、たとえば、ＷＤ１６の上りリンクデータ送信がピコまたは低電力基地局１４に向けられ、同基地局１４によってスケジューリングされ、ＷＤ１６の下りリンクデータ送信がマクロまたは高電力基地局１４によって送信され、スケジューリングされる、異種ネットワークシナリオにおいて有益であり得る。このケースにおいて、ＷＤ１６への下りリンクのサブフレーム内のｅＰＤＣＣＨは、ピコまたは低電力基地局１４からのｅＰＤＣＣＨ送信（単数または複数）（たとえば、上りリンクスケジューリングのためのｅＰＤＣＣＨ送信）ならびにマクロ基地局１４からのｅＰＤＣＣＨ送信（単数または複数）（たとえば、下りリンクスケジューリングのためのｅＰＤＣＣＨ送信）の両方を含み得る。
【００４０】
以下に論じられるように、サブフレーム内のｅＰＤＣＣＨを復調するために、ＷＤ１６は、サブフレーム内の関心の各ＲＳポートについての１つ以上の大規模なまたは長期的なチャネル特性を推定する必要がある。しかしながら、従来のチャネル推定技法を使用すると、チャネル推定は、各ＲＳのための関心の各ＲＳポートについて独立して実行される必要があるだろう。これは、同一のサブフレーム内の同一のまたは異なるＲＳタイプのＲＳのための異なるＲＳポートが、ＲＡＮ１２における異なるポイントから送信され得、したがって、著しく異なる大規模なチャネル特性を有し得るからである。さらに、同一のサブフレーム内の異なる物理リソースブロック（ＰＲＢ）における同一のＲＳポートが、異なるポイントから送信され得、それは再び、それらのアンテナポートについてのチャネル特性が著しく異なる大規模なチャネル特性を有し得ることを意味する。上述されたように、各ＲＳのための関心の各ＲＳポートについてのチャネル推定を独立して実行する従来のチャネル推定技法を使用することは、ある特定のＲＳポートについての不適切なチャネル推定品質を招くであろうし、それは、望ましくないリンクおよびシステム性能の劣化を招くであろう。
【００４１】
ｅＰＤＣＣＨについてのチャネル推定を改善するために、ＷＤ１６は、下りリンクサブフレームのｅＰＤＣＣＨ内の関心の各ＲＳポートについての１つ以上の大規模なチャネル特性のジョイント推定を、地理的に同一であるアンテナポートに対応する下りリンクサブフレーム内のＲＳに基づいて実行する。本明細書において使用される場合、１つのアンテナポートでのシンボルが伝達されるチャネルの大規模なチャネル特性が他のアンテナポートでのシンボルが伝達されるチャネルから推定され得る場合、２つのアンテナポートは「地理的に同一」である。大規模なチャネル特性は、好ましくは、遅延拡散、ドップラー拡散、ドップラーシフト、平均利得、および平均遅延の１つ以上を含む。加えてまたはあるいは、大規模なチャネル特性は、各ポートについての受信電力、受信タイミング（すなわち、最初の著しいチャネルタップのタイミング）、いくつかの著しいチャネルタップ、および周波数シフトの１つ以上を含み得る。地理的に同一なアンテナポートに対応するＲＳに基づいてチャネル推定を実行することにより、チャネル推定の品質が大幅に改善される。
【００４２】
図１１に示されているように、また図１２Ｂにより具体的に示されているように、別の特定の実施形態において、ＲＡＮ１２は、ＷＤ１６への下りリンクが複数の基地局１４から協調して提供される、下りリンクＣｏＭＰを提供する。このケースにおいて、ＷＤ１６への下りリンクのサブフレーム内のｅＰＤＣＣＨは、２つ以上の送信ポイント（たとえば、２つ以上の基地局１４）からのｅＰＤＣＣＨ送信を含み得る。再び、以下に論じられるように、サブフレーム内のｅＰＤＣＣＨ送信を復調するために、ＷＤ１６は、サブフレーム内の関心の各ＲＳポートについての１つ以上の大規模なまたは長期的なチャネル特性を推定する必要がある。しかしながら、従来のチャネル推定技法を使用すると、チャネル推定は、各ＲＳのための関心の各ＲＳポートについて独立して実行される必要があるだろう。これは、ある特定のＲＳポートについての不適切なチャネル推定品質を招き、望ましくないリンクおよびシステム性能の劣化を招くであろう。ｅＰＤＣＣＨについてのチャネル推定を改善するために、ＷＤ１６は、関心の各ＲＳポートについての大規模なチャネル特性のジョイント推定を、地理的に同一であるアンテナポートに対応するサブフレーム内のＲＳに基づいて実行する。
【００４３】
図１３は、本開示の一実施形態に係る、図１１のセルラー通信ネットワーク１０の動作を示す。図示されているように、ＷＤ１６は、ＲＡＮ１２から下りリンクサブフレームを受信し、この下りリンクサブフレームは、ｅＰＤＣＣＨおよびｅＰＤＣＣＨ内の複数のＲＳを含む（ステップ１００）。サブフレームは、共通基準信号（ＣＲＳ）またはチャネル状態情報基準信号（ＣＳＩ−ＲＳ）といった異なるタイプのＲＳを含み得る。ｅＰＤＣＣＨは、サブフレーム内の１つ以上のｅＰＤＣＣＨリソース領域内に位置するＰＲＢを利用する。ｅＰＤＣＣＨリソース領域におけるＲＳは本明細書において、より具体的には、対応するｅＰＤＣＣＨ  ＲＳポートでのｅＰＤＣＣＨ  ＲＳと呼ばれることに注意する。下りリンクサブフレームにおけるＲＳ、より具体的にはｅＰＤＣＣＨにおけるｅＰＤＣＣＨ  ＲＳは、
・同一のおよび／または異なるＰＲＢ（単数または複数）における同一のＲＳタイプの複数のＲＳ（たとえば、同一のおよび／または異なるＰＲＢ（単数または複数）における２つ以上の対応するＤＭＲＳポートでの２つ以上のＤＭＲＳ）、および／または
・同一のおよび／または異なるＰＲＢ（単数または複数）での異なるＲＳタイプの複数のＲＳ（たとえば、ＤＭＲＳポートでのＤＭＲＳ、および、同一のおよび／または異なるＰＲＢ（単数または複数）におけるＣＳＩ−ＲＳポートでのチャネル状態情報ＲＳ（ＣＳＩ−ＲＳ））を含み得る。
【００４４】
ＣＳＩ−ＲＳおよびＣＲＳが広帯域基準信号であることに注意する。すなわち、ＣＳＩ−ＲＳおよびＣＲＳは、ＥＰＤＣＣＨにおいてだけでなく、下りリンクの全帯域幅にわたって見出される。そのようなものとして、たとえばＣＳＩ−ＲＳについてチャネル分析を実行した場合、ＥＰＤＣＣＨ  ＲＢ内に存在する一部のみでなく、ＣＳＩ−ＲＳの帯域幅全体が使用され得る。ネットワーク透過性に起因して、ＷＤ１６は、任意の特定のＲＳポートでの任意の特定のＲＳが下りリンクサブフレームのｅＰＤＣＣＨ内のリソースブロックにわたって同一の送信ポイントから送信されることを想定しない。たとえば、ＤＭＲＳポート７でのＤＭＲＳは、異なるｅＰＤＣＣＨリソース領域にわたって、またはさらに、同一のｅＰＤＣＣＨ領域における異なるＰＲＢにわたって、同一の送信ポイントからのものであると想定されることができない。
【００４５】
ＷＤ１６は続いて、下りリンクサブフレームの関心のアンテナポートについての１つ以上の大規模なチャネル特性を、１つ以上の大規模なチャネル特性に関し関心のアンテナポートと地理的に同一であるアンテナポートに対応するサブフレームおよび／または以前のサブフレーム（単数または複数）におけるＲＳのサブセットに基づいて推定する（ステップ１０２）。関心のアンテナポートは、ｅＰＤＣＣＨリソース領域におけるＰＲＢ内の関心のｅＰＤＣＣＨ  ＲＳポートに対応する。一実施形態において、１つ以上の大規模なチャネル特性は、ＰＲＢ内の関心のアンテナポートが発せられた送信ポイントとＷＤ１６との間のチャネルの１つ以上の大規模なチャネル特性である。１つ以上の大規模なチャネル特性は、好ましくは、遅延拡散、ドップラー拡散、ドップラーシフト、平均利得、および平均遅延の１つ以上を含む。加えてまたはあるいは、１つ以上の大規模なチャネル特性は、各ポートについての受信電力、受信タイミング（すなわち、最初の著しいチャネルタップのタイミング）、いくつかの著しいチャネルタップ、および周波数シフトの１つ以上を含み得る。
【００４６】
１つ以上の大規模なチャネル特性の推定は、所望のアンテナポートについての大規模なチャネル特性を推定するために地理的に同一なアンテナポートを利用する任意の適切なジョイント推定技法を使用して実行され得る。推定は好ましくは、下りリンクサブフレーム内の関心のアンテナポートに対応するＲＳならびに大規模なチャネル特性に関し関心のアンテナポートと地理的に同一であるアンテナポートに対応するＲＳに基づく。大規模なチャネル特性に関し関心のアンテナポートと地理的に同一であるアンテナポートに対応するＲＳは、関心のアンテナポートと同一の下りリンクサブフレーム内のＲＳおよび／または１つ以上の以前の下りリンクサブフレーム内のＲＳを含み得る。１つ以上の以前のサブフレームにおけるＲＳを使用することは、たとえば、ＣＳＩ−ＲＳが関心のアンテナポートの下りリンクサブフレームにおいて送信されない場合に有益であり得る。特に、ステップ１０２において生成される推定は、１つ以上の大規模なチャネル特性のための最初の推定または１つ以上の大規模なチャネル特性の更新された推定であり得る。たとえば、複数のサブフレームにわたる推定／更新が、１つ以上の大規模なチャネル特性の推定を改善するために使用され得る。
【００４７】
最後に、ＷＤ１６は、１つ以上の大規模なチャネル特性を利用し、またはより具体的には、１つ以上の大規模なチャネル特性の推定を利用する（ステップ１０４）。より具体的には、一実施形態において、ＷＤ１６は、ｅＰＤＣＣＨの受信および復調を可能にする下りリンク信号を受信するために使用されるチャネル推定を実行するために時間ドメインまたは周波数ドメインにおいてＷＤ１６によって適用される推定フィルタの１つ以上のパラメータを構成するために１つ以上の大規模なチャネル特性の推定を利用する。
【００４８】
３ＧＰＰ  ＬＴＥにおいて、セルラー通信ネットワーク１０の重要な特徴は、ネットワーク透過性である。ネットワーク透過性の結果として、ＷＤ１６は、異なるアンテナポートが発せられたＲＡＮ１２におけるポイントを認識しない。そのようなものとして、ＷＤ１６が図１３のステップ１０２において１つ以上の大規模なチャネル特性を推定するために、ＷＤ１６は、どのアンテナポートが１つ以上の大規模なチャネル特性に関し関心のアンテナポートと地理的に同一であるかの知識を有しなくてはならない。図１４および図１５は、ＷＤ１６が、ＲＡＮ１２からのシグナリングによって、およびセルラー通信ネットワーク１０のための予め定義された規則（単数または複数）によって、地理的に同一であるアンテナポートの知識を得る、２つの実施形態を示す。
【００４９】
より具体的には、図１４を参照すると、ＷＤ１６は、地理的に同一であるアンテナポートを示すＲＡＮ１２からの情報を受信する（ステップ２００）。好ましい実施形態において、ＲＡＮ１２からの情報は、ｅＰＤＣＣＨに関し地理的に同一であるアンテナポートを示す。この情報は、無線リソース制御（ＲＲＣ）シグナリング等によってＲＡＮ１２からＷＤ１６に明示的にシグナリングされ得る。あるいは、この情報は、たとえばｅＰＤＣＣＨにおいて送信されるＤＣＩメッセージによって、ＲＡＮ１２からＷＤ１６に暗黙的にシグナリングされ得る。ＲＡＮ１２からの情報は、どのアンテナポートが１つ以上の大規模なチャネル特性に関し地理的に同一であるか、および、それらのアンテナポートが１つ以上の大規模なチャネル特性に関し地理的に同一である物理リソースを示す。１つの特定の実施形態において、ＲＡＮ１２からの情報は、どのアンテナポートがＷＤ１６への下りリンクのサブフレーム内で１つ以上の大規模なチャネル特性に関し地理的に同一であるか、および、それらのアンテナポートが１つ以上の大規模なチャネル特性に関し地理的に同一であるサブフレームを有する物理リソースを示す。
【００５０】
このポイントから、処理は、図１３のステップ１００〜１０４に関し上述されたように続行する。より具体的には、ＷＤ１６が、ＲＡＮ１２から下りリンクサブフレームを受信し、この下りリンクサブフレームは、ｅＰＤＣＣＨおよびｅＰＤＣＣＨ内の複数のＲＳを含む（ステップ２０２）。ＷＤ１６は続いて、サブフレーム内の関心のアンテナポートについての１つ以上の大規模なチャネル特性を、１つ以上の大規模なチャネル特性に関し関心のアンテナポートと地理的に同一であるアンテナポートに対応するサブフレームおよび／または以前のサブフレーム（単数または複数）におけるＲＳのサブセットに基づいて推定する（ステップ２０４）。関心のアンテナポートは、ｅＰＤＣＣＨリソース領域におけるＰＲＢ内の関心のｅＰＤＣＣＨ  ＲＳポートに対応する。ここで、１つ以上の大規模なチャネル特性に関し地理的に同一であるアンテナポートは、ステップ２００においてＲＡＮ１２から受信された情報によって示される。一実施形態において、１つ以上の大規模なチャネル特性は、関心のアンテナポートが発せられた送信ポイントとＷＤ１６との間のチャネルの１つ以上の大規模なチャネル特性である。１つ以上の大規模なチャネル特性は、好ましくは、遅延拡散、ドップラー拡散、ドップラーシフト、平均利得、および平均遅延の１つ以上を含む。加えてまたはあるいは、１つ以上の大規模なチャネル特性は、各ポートについての受信電力、受信タイミング（すなわち、最初の著しいチャネルタップのタイミング）、いくつかの著しいチャネルタップ、および周波数シフトの１つ以上を含み得る。
【００５１】
１つ以上の大規模なチャネル特性の推定は、所望のアンテナポートについての大規模なチャネル特性を推定するために地理的に同一なアンテナポートを利用する任意の適切なジョイント推定技法を使用して実行され得る。推定は好ましくは、下りリンクサブフレームの関心のアンテナポートに対応するＲＳならびに大規模なチャネル特性に関し関心のアンテナポートと地理的に同一であるアンテナポートに対応するＲＳに基づく。大規模なチャネル特性に関し関心のアンテナポートと地理的に同一であるアンテナポートに対応するＲＳは、関心のアンテナポートと同一の下りリンクサブフレーム内のＲＳおよび／または１つ以上の以前の下りリンクサブフレーム内のＲＳを含み得る。１つ以上の以前のサブフレームにおけるＲＳを使用することは、たとえば、ＣＳＩ−ＲＳが関心のアンテナポートの下りリンクサブフレームにおいて送信されない場合に有益であり得る。特に、ステップ２０４において生成される推定は、１つ以上の大規模なチャネル特性のための最初の推定または１つ以上の大規模なチャネル特性の更新された推定であり得る。たとえば、複数のサブフレームにわたる推定／更新が、１つ以上の大規模なチャネル特性の推定を改善するために使用され得る。
【００５２】
最後に、ＷＤ１６が、１つ以上の大規模なチャネル特性を利用し、より具体的には、１つ以上の大規模なチャネル特性の推定を利用する（ステップ２０６）。より具体的には、一実施形態において、ＷＤ１６は、ｅＰＤＣＣＨの受信および復調のために必要とされるチャネル推定を実行するために時間ドメインまたは周波数ドメインにおいてＷＤ１６によって適用される推定フィルタの１つ以上のパラメータを構成するために１つ以上の大規模なチャネル特性の推定を利用する。
【００５３】
図１５は、本開示の一実施形態に係る、地理的に同一なアンテナポートがセルラー通信ネットワーク１０のために予め定義された、図１１のセルラー通信ネットワーク１０の動作を示す。１つの特定の実施形態において、地理的に同一なアンテナポートは、セルラー通信ネットワーク１０の動作を定義する１つ以上の仕様（すなわち、３ＧＰＰ仕様）によって定義される。かくして、この実施形態では、ＲＡＮ１２は、地理的に同一でなくてはならないアンテナポートを定義する１つ以上の予め定義された規則に従って、ＷＤ１６へのＲＳを含む下りリンクを送信する（ステップ３００）。より具体的には、下りリンクは、ｅＰＤＣＣＨを含む下りリンクサブフレームを含む。ｅＰＤＣＣＨにおいて送信されるＲＳのＲＳポートは、アンテナポートに対応する。１つ以上の予め定義された規則は、アンテナポートのどれがｅＰＤＣＣＨのために地理的に同一でなくてはならないかを定義する。かくして、すなわち、１つ以上の予め定義された規則は、ｅＰＤＣＣＨにおけるＲＳのどれが地理的に同一なアンテナポートから発せられなくてはならないかを定義する。たとえば、以下において詳細に論じられるように、一実施形態において、サブフレーム内のｅＰＤＣＣＨリソースは、ｅＰＤＣＣＨリソースの２つ以上のセットに分割され、ＷＤ１６は、ｅＰＤＣＣＨリソースのセットの少なくとも２つを探索するように構成される。この例において、１つ以上の予め定義された規則は、たとえば、ｅＰＤＣＣＨリソースの同一セットにおけるすべてのＲＳポートに対応するアンテナポートが地理的に同一でなくてはならないことを指定し得る。しかしながら、この例が限定ではないことに注意する。規則は、任意の所望の手法で地理的に同一でなくてはならないアンテナポートを定義し得る。
【００５４】
ＷＤ１６は続いて、サブフレームの関心のアンテナポートについての１つ以上の大規模なチャネル特性を、１つ以上の大規模なチャネル特性に関し関心のアンテナポートと地理的に同一であるアンテナポートに対応するサブフレームおよび／または以前のサブフレーム（単数または複数）におけるＲＳのサブセットに基づいて推定する（ステップ３０２）。関心のアンテナポートは、ｅＰＤＣＣＨリソース領域におけるＰＲＢ内の関心のｅＰＤＣＣＨ  ＲＳポートに対応する。ここで、１つ以上の大規模なチャネル特性に関し地理的に同一であるアンテナポートは、セルラー通信ネットワーク１０のために予め定義される。一実施形態において、１つ以上の大規模なチャネル特性は、関心のアンテナポートが発せられた送信ポイントとＷＤ１６との間のチャネルの１つ以上の大規模なチャネル特性である。１つ以上の大規模なチャネル特性は、好ましくは、遅延拡散、ドップラー拡散、ドップラーシフト、平均利得、および平均遅延の１つ以上を含む。加えてまたはあるいは、１つ以上の大規模なチャネル特性は、各ポートについての受信電力、受信タイミング（すなわち、最初の著しいチャネルタップのタイミング）、いくつかの著しいチャネルタップ、および周波数シフトの１つ以上を含み得る。
【００５５】
１つ以上の大規模なチャネル特性の推定は、所望のアンテナポートについての大規模なチャネル特性を推定するために地理的に同一なアンテナポートを利用する任意の適切なジョイント推定技法を使用して実行され得る。推定は好ましくは、下りリンクサブフレームの関心のアンテナポートに対応するＲＳならびに大規模なチャネル特性に関し関心のアンテナポートと地理的に同一であるアンテナポートに対応するＲＳに基づく。大規模なチャネル特性に関し関心のアンテナポートと地理的に同一であるアンテナポートに対応するＲＳは、関心のアンテナポートと同一の下りリンクサブフレーム内のＲＳおよび／または１つ以上の以前の下りリンクサブフレーム内のＲＳを含み得る。１つ以上の以前のサブフレームにおけるＲＳを使用することは、たとえば、ＣＳＩ−ＲＳが関心のアンテナポートの下りリンクサブフレームにおいて送信されない場合に有益であり得る。特に、ステップ３０２において生成される推定は、１つ以上の大規模なチャネル特性のための最初の推定または１つ以上の大規模なチャネル特性の更新された推定であり得る。たとえば、複数のサブフレームにわたる推定／更新が、１つ以上の大規模なチャネル特性の推定を改善するために使用され得る。
【００５６】
最後に、ＷＤ１６は、１つ以上の大規模なチャネル特性を利用し、またはより具体的には、１つ以上の大規模なチャネル特性の推定を利用する（ステップ３０４）。より具体的には、一実施形態において、ＷＤ１６は、ｅＰＤＣＣＨの受信および復調のために必要とされるチャネル推定を実行するために受信された下りリンク信号に対し時間ドメインまたは周波数ドメインにおいてＷＤ１６によって適用される推定フィルタの１つ以上のパラメータを構成するために１つ以上の大規模なチャネル特性を利用する。
【００５７】
本開示の好ましい実施形態において、チャネル推定が、ＲＡＮ１２からの下りリンクのサブフレーム内のｅＰＤＣＣＨリソース領域におけるＲＳポートについて実行される。これらの好ましい実施形態のさらなる詳細を論じる前に、サブフレーム内のｅＰＤＣＣＨリソース領域およびさまざまなＲＳとｅＰＤＣＣＨリソース領域において見出され得る対応するアンテナポートとの議論が提供される。この点について、図１６は、複数のｅＰＤＣＣＨリソース領域を含むＬＴＥ下りリンクのサブフレームを示す。この例において、各ｅＰＤＣＣＨリソース領域は、サブフレームの第１の半分（すなわち、サブフレームの第１のスロット）におけるＰＲＢの一部と、サブフレームの第２の半分（すなわち、サブフレームの第２のスロット）におけるＰＲＢとを含む。別の実施形態において、サブフレームの始めに制御情報のために予約された直交周波数分割多重（ＯＦＤＭ）シンボル間隔（たとえば、ＰＤＣＣＨ）が存在せず、各ｅＰＤＣＣＨリソース領域が完全なＰＲＢのペアを含むことに注意する。４つのｅＰＤＣＣＨリソース領域が図１６の例において示されているが、任意の数のｅＰＤＣＣＨリソース領域がサブフレームに含まれ得ることに注意する。
【００５８】
図１７Ａ〜図１７Ｃは、サブフレームにおけるＰＲＢのペア内の共通基準信号（ＣＲＳ）を示す。ＣＲＳは、各サブフレームにおけるＰＲＢ内の時間および周波数位置に挿入された予め定義された値のＣＲＳ基準シンボルからなるセル固有のＲＳである。図１７Ａは、単一のアンテナポートに対応するＣＲＳポートを示す。対照的に、図１７Ｂおよび図１７Ｃはそれぞれ、２つのアンテナポートおよび最大４つのアンテナポートに対応するＣＲＳポートを示す。そのようなものとして、特定の構成に依存して、サブフレーム内の各ｅＰＤＣＣＨ領域は、１乃至最大４つのＣＲＳポート（すなわち、ＣＲＳを搬送する１乃至最大４つのアンテナポート）を含み得る。
【００５９】
図１８Ａおよび図１８Ｂは、サブフレームにおけるＰＲＢのペア内のＤＭＲＳポートを示す。ＤＭＲＳは、ＵＥ固有のＲＳであり、その特定のＵＥに割り当てられたＰＲＢにおいて送信される。ＤＭＲＳは、ＰＤＳＣＨ送信のためのチャネル推定のために、特に、コードブックに基づかないプリコーディングのために使用されるように意図される。ＤＭＲＳは、サブフレームにおけるＰＲＢ内の既知の時間および周波数位置の既知の値のＤＭＲＳ基準シンボルを含む。図１８Ａは、１２個のＤＭＲＳリソース要素（ＲＥ）を使用した２つのＤＭＲＳポートを示し、２つのＤＭＲＳポートは、２つのアンテナポートに対応する。逆に、図１８Ｂは、２４個のＤＭＲＳ  ＲＥを使用した８つのＤＭＲＳポートを示し、８つのＤＭＲＳポートは、８つのアンテナポートに対応する。かくして、特定の構成に依存して、サブフレーム内の各ｅＰＤＣＣＨ領域は、１乃至最大８つのアンテナポートに対応する１乃至最大８つのＤＭＲＳポートを含み得る。
【００６０】
図１９は、サブフレームにおけるＰＲＢのペア内のＣＳＩ−ＲＳポートを示す。図示されているように、１乃至最大８つのＣＳＩ−ＲＳポートでのサブフレームにおけるＰＲＢのペア内の、それぞれ、１乃至最大８つのＣＳＩ−ＲＳが存在し得る。各ＣＳＩ−ＲＳポートは、ＰＲＢペアにおける２つのリソース要素を使用している。ＣＳＩ−ＲＳ（単数または複数）は、ＤＭＲＳが（たとえば、ＬＴＥ  Ｒｅｌ−１０およびＲｅｌ−１１の送信モード９における）チャネル推定のために使用される場合、チャネル状態情報を捕捉するためにＷＤによって利用され得る。ＣＳＩ−ＲＳは、対応するＣＳＩ−ＲＳポートのためのＰＲＢ内の既知の時間および周波数位置の既知の値のＣＳＩ−ＲＳ基準シンボルを含む。ＣＳＩ−ＲＳ（単数または複数）はシステム帯域幅のすべてのＰＲＢにおいて送信されるので、図１６のｅＰＤＣＣＨリソース領域内の対応するＣＳＩ−ＲＳポートが見出され得る。特定の構成に依存して、サブフレーム内の各ｅＰＤＣＣＨリソース領域は、１乃至最大８つのアンテナポートに対応する１乃至最大８つのＣＳＩ−ＲＳポートを含み得る。
【００６１】
図２０は、本開示の一実施形態に係る地理的に同一なアンテナポートに対応するＲＳを使用してサブフレームのｅＰＤＣＣＨリソース領域内の関心のＲＳポート（またはそれに対応して関心のアンテナポート）についての１つ以上の大規模なチャネル特性を推定するためのＷＤ１６の動作を示す。この実施形態において、ＷＤ１６は、ＤＭＲＳポートに対応するアンテナポートが、ＤＭＲＳポート間およびサブフレーム内のＰＲＢ間で大規模なチャネル特性のいずれに関し地理的に同一であることも想定しない。この実施形態において、ＷＤ１６は、ＲＡＮ１２からの下りリンクを受信し（ステップ４００）、下りリンクのサブフレームにおけるｅＰＤＣＣＨのＤＣＩメッセージが（たとえば、空間ダイバーシティ送信のために）２つ以上のＤＭＲＳポートおよび／または２つ以上のＰＲＢに関連づけられることを決定する（ステップ４０２）。このケースにおいて、ＤＣＩメッセージは、ＤＣＩメッセージに関連づけられたすべてのアンテナポートがサブフレームについて地理的に同一であるとのＲＡＮ１２からの明示的なシグナリングである。すなわち、ＷＤ１６は、ＤＣＩメッセージに関連づけられたすべてのアンテナポートがサブフレームについて地理的に同一であることをＤＣＩメッセージから推論し得る。そのようなものとして、ＷＤ１６は、ＤＣＩメッセージに関連づけられたＲＳポートにおける基準シンボルに基づいてｅＰＤＣＣＨにおける関心のＲＳポートについての１つ以上の大規模なチャネル特性を推定し、ＤＣＩメッセージに関連づけられたＲＳポートは、地理的に同一なアンテナポートに対応する（ステップ４０４）。最後に、ＷＤ１６は、上述されたように、１つ以上の大規模なチャネル特性を利用する（ステップ４０６）。
【００６２】
特に、大規模なチャネル特性の推定は、ＤＭＲＳを使用したチャネル推定のために使用され得る。しかしながら、チャネル推定アルゴリズムは、ドップラーシフト、遅延拡散、および他の大規模なチャネル特性を使用する。これらの大規模なチャネル特性は、たとえば、ＣＳＩ−ＲＳが広帯域かつ時間において定期的であるので、ＣＳＩ−ＲＳ（単数または複数）から得られ得る。しかしながら、チャネル特性の適切な推定を得るために、ＷＤ１６は、ＣＳＩ−ＲＳ（単数または複数）を使用して得られた大規模なチャネル特性の推定が関心のＤＭＲＳ（単数または複数）と同一のチャネルを実際に反映することを保証されなくてはならない。これは、たとえば、関心のＤＭＲＳポートと地理的に同一であるＣＳＩ−ＲＳポートを利用して関心のＤＭＲＳポートについての所望の大規模なチャネル特性を推定することによって行われる。
【００６３】
関心のＤＭＲＳポートと地理的に同一であるＣＳＩ−ＲＳ（単数または複数）に基づいて１つ以上の大規模なチャネル特性を推定する場合、ＷＤ１６は、任意の適切な手法でＣＳＩ−ＲＳ（単数または複数）が関心のＤＭＲＳポートと地理的に同一であることを決定し得る。たとえば、ＷＤ１６は、２つのＣＳＩ−ＲＳ（単数または複数）（すなわち、２つのＣＳＩ−ＲＳポート）を受信するように構成され得る。ＷＤ１６は続いて、どのＣＳＩ−ＲＳポート（単数または複数）が関心のＤＭＲＳポートと地理的に同一であるか（すなわち、ＤＣＩメッセージによって示されたどのｅＰＤＣＣＨリソースがＷＤ１６によって受信されるか）をリソース割り付けに基づいて決定し得る。かくして、ＤＣＩメッセージに関連づけられたＣＳＩ−ＲＳ（単数または複数）が、関心のＤＭＲＳポートについての大規模なチャネル特性を推定するために使用され得る。別の実施形態において、ＷＤ１６は、どのＣＳＩ−ＲＳポート（単数または複数）が関心のＤＭＲＳポートと地理的に同一であるかを送信スキームのタイプに基づいて決定し得る。より具体的には、ｅＰＤＣＣＨは、局在化モードまたは分散モードで送信され得る。続いて、位置特定されたｅＰＤＣＣＨ受信のためのＤＭＲＳポートが、第１のＣＳＩ−ＲＳポート（単数または複数）と地理的に同一であるものとして定義され得、分散させられたｅＰＤＣＣＨ受信のための任意のＤＭＲＳポートが、第２のＣＳＩ−ＲＳポート（単数または複数）と地理的に同一であるものとして定義され得る。
【００６４】
図２１は、本開示の一実施形態に係る地理的に同一なアンテナポートに対応するＲＳを使用してサブフレーム内のｅＰＤＣＣＨリソースのセット内の関心のＲＳポート（またはそれに対応して関心のアンテナポート）についての１つ以上の大規模なチャネル特性を推定するためのＷＤ１６の動作を示す。この実施形態において、サブフレームにおけるｅＰＤＣＣＨリソース領域は、ｅＰＤＣＣＨリソースの２つ以上のセットに分割される。たとえば、各ｅＰＤＣＣＨリソース領域は、ｅＰＤＣＣＨリソースの異なるセットに対応し得る。しかしながら、ｅＰＤＣＣＨリソースのセットはそれに限定されない。たとえば、ｅＰＤＣＣＨリソースのセットは、サブフレーム内の複数の異なるｅＰＤＣＣＨリソース領域からのｅＰＤＣＣＨリソースを含み得る。逆に、ｅＰＤＣＣＨリソースのセットは、ｅＰＤＣＣＨリソース領域におけるリソースのサブセットのみを含み得る。
【００６５】
この実施形態において、ＷＤ１６は、ＤＭＲＳポートに対応するアンテナポートが、ＤＭＲＳポート間およびｅＰＤＣＣＨリソースの異なるセットに属するＰＲＢ間で、大規模なチャネル特性のいずれに関し地理的に同一であることも想定しない。しかしながら、ＷＤ１６は、ｅＰＤＣＣＨリソースの同一セット内のＤＭＲＳポートおよび潜在的にはすべてのまたは一部の他のタイプのＲＳポートが、大規模なチャネル特性の１つ以上に関し地理的に同一であることを想定する。
【００６６】
図示されているように、ＷＤ１６は、ＲＡＮ１２からの下りリンク信号を受信する（ステップ５００）。ＷＤ１６は続いて、下りリンク信号のサブフレーム内のｅＰＤＣＣＨリソースのセットにおけるＲＳポートについての１つ以上の大規模なチャネル特性をｅＰＤＣＣＨリソースのセットにおけるアンテナポートに対応するＲＳに基づいて推定する（ステップ５０２）。ｅＰＤＣＣＨリソースのセット内のＲＳ、またはより具体的にはｅＰＤＣＣＨリソースのセット内のＲＳポートにおける基準シンボルは、上述された想定に係る１つ以上の大規模なチャネル特性に関し地理的に同一であるアンテナポートに対応する。たとえば、ＷＤ１６は、関心のＤＭＲＳポートについての１つ以上の大規模なチャネル特性をｅＰＤＣＣＨリソースの同一セット内のＣＳＩ−ＲＳポート（単数または複数）に基づいて推定し得る。最後に、ＷＤ１６は、上述されたように、ＲＳポートの１つ以上の大規模なチャネル特性を利用する（ステップ５０４）。
【００６７】
図２２は、本開示の一実施形態に係る、図２１の実施形態に係る下りリンクを提供するためのＲＡＮ１２における基地局１４の１つの動作を示す。図示されているように、基地局１４は、ｅＰＤＣＣＨリソースのセットを構成する（ステップ６００）。より具体的には、基地局１４は、ｅＰＤＣＣＨリソースのセットの１つ以上を監視するようにＷＤ１６を構成する（すなわち、ｅＰＤＣＣＨのためのＷＤ１６の探索空間を構成する）。基地局１４は続いて、ｅＰＤＣＣＨリソースの同一セット内のすべてのアンテナポートが地理的に同一でなくてはならないとの予め定義された規則（単数または複数）に従ってｅＰＤＣＣＨを送信する（ステップ６０２）。特に、ＷＤ１６で、サブフレーム内のｅＰＤＣＣＨリソースの異なるセットにおけるアンテナポートが地理的に同一でないと想定される。
【００６８】
図２３は、本開示の別の実施形態に係るセルラー通信ネットワーク１０の動作を示す。この実施形態は、図２１および図２２に関し上述されたものと同様である。しかしながら、この実施形態では、ｅＰＤＣＣＨリソースの同一セット内のすべてのＲＳポートまたはＲＳポートの一部の定義されたサブセットが地理的に同一なアンテナポートに対応するかどうかを示す情報を、またいくつかの実施形態では、ｅＰＤＣＣＨリソースの２つ以上の異なるセットにおけるＲＳポートが地理的に同一なアンテナポートに対応するかどうかを示す情報を、ＲＡＮ１２がＷＤ１６に提供する。より具体的には、図２３に示されているように、ＲＡＮ１２は、ｅＰＤＣＣＨのためのＷＤ１６の探索空間を構成する（ステップ７００）。特に、ＲＡＮ１２は、ｅＰＤＣＣＨリソースの１つ以上のセットを含むように探索空間を構成する。探索空間の構成は、たとえば、ＲＲＣシグナリングによって実行され得る。
【００６９】
加えて、ＲＡＮ１２は、どのＲＳポートが地理的に同一なアンテナポートに対応するとＷＤ１６が想定し得るかを示す地理的に同一なアンテナ情報と呼ばれる情報をＷＤに１６に提供する（ステップ７０２）。１つの好ましい実施形態において、この情報は、ＷＤ１６がｅＰＤＣＣＨリソースの同一セット内のすべてのＲＳポートまたはＲＳポートの一部のサブセットが地理的に同一なアンテナポートに対応することを想定し得るかどうかを示す。いくつかの実施形態において、この情報はまた、ＷＤ１６がｅＰＤＣＣＨリソースの２つ以上の異なるセット内のすべてのＲＳポートまたはＲＳポートの一部のサブセットが地理的に同一なアンテナポートに対応することを想定し得るかどうかを示す。よって、たとえば、ｅＰＤＣＣＨリソースの２つのセットが存在する場合、この情報は、（１）ｅＰＤＣＣＨリソースの同一セット内のＲＳポートまたはＲＳポートの一部のサブセットが地理的に同一なアンテナポートに対応するかどうか、およびオプションで、（２）ｅＰＤＣＣＨリソースの２つの異なるセットにおけるＲＳポートまたはＲＳポートの一部のサブセットが地理的に同一なアンテナポートに対応するかどうかを示す。ステップ７０２で提供される情報は、たとえば、ＲＲＣシグナリングによって提供され得る。ステップ７００および７０２は別個のステップとして示されているが、ステップ７００および７０２は単一のメッセージを使用して実行され得ることに注意する。
【００７０】
その後、近々に、ＲＡＮ１２は、ｅＰＤＣＣＨを含む下りリンクサブフレームを送信する（ステップ７０４）。ＷＤ１６は、ｅＰＤＣＣＨリソースのセット内のＲＳポートについての１つ以上の大規模なチャネル特性を、ステップ７０２でＲＡＮ１２から受信された情報において示された地理的に同一なアンテナポートに対応するＲＳ、またはより具体的にはＲＳポートにおける基準シンボルに基づいて、推定する（ステップ７０６）。ＷＤ１６は続いて、上述されたように、１つ以上の大規模なチャネル推定を利用する（ステップ７０８）。
【００７１】
図２４は、ＷＤ１６が２つの異なる基地局１４（すなわち、２つの異なる送信ポイント）からｅＰＤＣＣＨを受信する一実施形態に係るセルラー通信ネットワーク１０の動作を示す。図示されているように、この実施形態では、基地局１４の１つ（送信ポイント１に対応する基地局１４）が、ｅＰＤＣＣＨリソース、すなわち、送信ポイント１のためのｅＰＤＣＣＨリソースの第１のセットと、送信ポイント２のためのｅＰＤＣＣＨリソースの第２のセットと、を構成する構成情報をＷＤ１６に送信する（ステップ８００および８０２）。ｅＰＤＣＣＨリソースのセットを構成することに加えて、基地局１４は、ＷＤ１６に地理的に同一なアンテナ情報を送信する（ステップ８０４）。この実施形態において、地理的に同一なアンテナ情報は、ＷＤ１６が同一のｅＰＤＣＣＨリソースセットにおけるアンテナポートまたは対応するＲＳポートが地理的に同一であることを想定し得ることを示す。特に、ステップ８００〜８０４は別個のステップとして示されているが、対応する情報は単一のメッセージで送信され得る。
【００７２】
その後、近々に、送信ポイント１に対応する基地局１４は、ＷＤ１６にｅＰＤＣＣＨリソースの第１のセットにおけるｅＰＤＣＣＨ送信（単数または複数）を含む下りリンクサブフレームを送信する（ステップ８０６）。同一の下りリンクサブフレームにおいて、送信ポイント２に対応する基地局１４は、ｅＰＤＣＣＨリソースの第２のセットにおいてｅＰＤＣＣＨ送信（単数または複数）を送信する（ステップ８０８）。ＷＤ１６は、ｅＰＤＣＣＨリソースの第１のセットおよび／または第２のセット内のＲＳポートについての１つ以上の大規模なチャネル特性を、ｅＰＤＣＣＨリソースの同一セットにおけるＲＳ、またはより具体的にはＲＳポートにおける基準シンボルに基づいて、推定する（ステップ８１０）。かくして、ＷＤ１６は、ｅＰＤＣＣＨリソースの第１のセットにおけるＲＳポートについての１つ以上の大規模なチャネル特性を、この実施形態では地理的に同一なアンテナポートに対応するとＷＤ１６によって想定され得るｅＰＤＣＣＨリソースの第１のセットにおける他のＲＳポートのすべてに基づいて推定する。同様に、ＷＤ１６は、ｅＰＤＣＣＨリソースの第２のセットにおけるＲＳポートについての１つ以上の大規模なチャネル特性を、この実施形態では地理的に同一なアンテナポートに対応するとＷＤ１６によって想定され得るｅＰＤＣＣＨリソースの第２のセットにおける他のＲＳポートのすべてに基づいて推定する。ＷＤ１６は続いて、上述されたように、１つ以上の大規模なチャネル推定を利用する（ステップ８１２）。
【００７３】
図２５は、本開示の一実施形態に係るＷＤ１６の１つのブロック図である。図示されているように、ＷＤ１６は、無線サブシステム１８と処理サブシステム２０とを含む。無線サブシステム１８は一般的に、基地局１４にデータを送り、基地局１４からデータを受信するためのアナログコンポーネント、いくつかの実施形態ではデジタルコンポーネントを含む。特定の実施形態において、無線サブシステム１８は、ワイヤレスで、他のネットワークコンポーネントまたはノードに適切な情報を送信し、他のネットワークコンポーネントまたはノードから適切な情報を受信することができる、１つ以上の無線周波数（ＲＦ）トランシーバ、または、別個のＲＦ送信機（単数または複数）と受信機（単数または複数）を表すかまたは含み得る。ワイヤレス通信プロトコルの観点から、無線サブシステム１８は、レイヤ１（すなわち、物理または「ＰＨＹ」レイヤ）の少なくとも一部を実装する。
【００７４】
処理サブシステム２０は一般的に、レイヤ１の任意の残りの一部、ならびに、ワイヤレス通信プロトコルにおけるより上位のレイヤ（たとえば、レイヤ２（データリンクレイヤ）、レイヤ３（ネットワークレイヤ）、等）のための機能を実装する。特定の実施形態において、処理サブシステム２０は、たとえば、本明細書に説明されたＷＤ１６の機能の一部またはすべてを実行するための適切なソフトウェアおよび／またはファームウェアによってプログラムされた、１つまたはいくつかの汎用または専用マイクロプロセッサまたは他のマイクロコントローラを備え得る。加えてまたはあるいは、処理サブシステム２０は、本明細書に説明されたＷＤ１６の機能の一部またはすべてを実行するように構成された、さまざまなデジタルハードウェアブロック（たとえば、１つ以上の特定用途向け集積回路（ＡＳＩＣ）、１つ以上の既製のデジタルおよびアナログハードウェアコンポーネント、またはそれらの組み合わせ）を備え得る。加えて、特定の実施形態において、ＷＤ１６の上述された機能は、ランダムアクセスメモリ（ＲＡＭ）、読み取り専用メモリ（ＲＯＭ）、磁気記憶デバイス、光記憶デバイス、または任意の他の適切なタイプのデータ記憶コンポーネントのような非一時的なコンピュータ可読媒体に記憶されたソフトウェアまたは他の命令を実行する処理サブシステム２０によって、全体的または部分的に実現され得る。当然のことながら、機能プロトコルレイヤの各々についての詳細な動作、およびかくして無線サブシステム１８および処理サブシステム２０は、特定の実装ならびにＷＤ１６によってサポートされる１つの標準または複数の標準の両方に依存して異なるであろう。
【００７５】
図２６は、本開示の一実施形態に係る基地局１４の１つのブロック図である。図示されているように、基地局１４は、無線サブシステム２２と処理サブシステム２４とを含む。無線サブシステム２２は一般的に、セルラー通信ネットワーク１０の対応するセル内のＷＤ１６のようなワイヤレスデバイスにデータを送り、ワイヤレスデバイスからデータを受信するための、アナログコンポーネント、いくつかの実施形態ではデジタルコンポーネントを含む。特定の実施形態において、無線サブシステム２２は、ワイヤレスで、他のネットワークコンポーネントまたはノードに適切な情報を送信し、他のネットワークコンポーネントまたはノードから適切な情報を受信することができる、１つ以上のＲＦトランシーバ、または、別個のＲＦ送信機（単数または複数）と受信機（単数または複数）を表すかまたは含み得る。ワイヤレス通信プロトコルの観点から、無線サブシステム２２は、レイヤ１（すなわち、物理または「ＰＨＹ」レイヤ）の少なくとも一部を実装する。
【００７６】
処理サブシステム２４は一般的に、無線サブシステム２２に実装されていないレイヤ１の任意の残りの一部、ならびに、ワイヤレス通信プロトコルにおけるより上位のレイヤ（たとえば、レイヤ２（データリンクレイヤ）、レイヤ３（ネットワークレイヤ）、等）のための機能を実装する。特定の実施形態において、処理サブシステム２４は、たとえば、本明細書に説明された基地局１４の機能の一部またはすべてを実行するための適切なソフトウェアおよび／またはファームウェアによってプログラムされた、１つまたはいくつかの汎用または専用マイクロプロセッサまたは他のマイクロコントローラを備え得る。加えてまたはあるいは、処理サブシステム２４は、本明細書に説明された基地局１４の機能の一部またはすべてを実行するように構成された、さまざまなデジタルハードウェアブロック（たとえば、１つ以上のＡＳＩＣ、１つ以上の既製のデジタルおよびアナログハードウェアコンポーネント、またはそれらの組み合わせ）を備え得る。加えて、特定の実施形態において、基地局１４の上述された機能は、ＲＡＭ、ＲＯＭ、磁気記憶デバイス、光記憶デバイス、または任意の他の適切なタイプのデータ記憶コンポーネントのような非一時的なコンピュータ可読媒体に記憶されたソフトウェアまたは他の命令を実行する処理サブシステム２４によって、全体的または部分的に実現され得る。
【００７７】
以下の頭字語が本開示全体を通して使用される。
・  ３ＧＰＰ  第３世代パートナーシッププロジェクト
・  ＡＬ  アグリゲーションレベル
・  ＡＳＩＣ  特定用途向け集積回路
・  ＢＳ  基地局
・  ＣＣＥ  制御チャネル要素
・  ＣｏＭＰ  協調マルチポイント
・  ＣＲＳ  共通基準信号
・  ＣＳＩ−ＲＳ  チャネル状態情報基準信号
・  ＣＳＳ  共通探索空間
・  ＤＣＩ  下りリンク制御情報
・  ＤＦＴ  離散フーリエ変換
・  ＤＬ  下りリンク
・  ＤＭＲＳ  復調基準信号
・  ＤＰＳ  動的ポイント選択
・  ｅＮＢ  発展型ノードＢ
・  ｅＰＤＣＣＨ  発展型物理下りリンク制御チャネル
・  ｅＰＨＩＣＨ  発展型物理ハイブリッド自動再送要求インジケータチャネル
・  ＧＳＭ  移動体通信のための世界システム
・  ＨＡＲＱ  ハイブリッド自動再送要求
・  ＪＴ  ジョイント送信
・  ＫＨｚ  キロヘルツ
・  ＬＴＥ  ロングタームエボリューション
・  ｍｓ  ミリ秒
・  ＯＦＤＭ  直交周波数分割多重
・  ＰＣＦＩＣＨ  物理制御フォーマットインジケータチャネル
・  ＰＤＣＣＨ  物理下りリンク制御チャネル
・  ＰＤＳＣＨ  物理下りリンク共有チャネル
・  ＰＲＢ  物理リソースブロック
・  ＰＳＳ  プライマリ同期信号
・  ＰＵＳＣＨ  物理上りリンク共有チャネル
・  ＲＡＭ  ランダムアクセスメモリ
・  ＲＡＮ  無線アクセスネットワーク
・  ＲＢ  リソースブロック
・  ＲＥ  リソース要素
・  ＲＥＧ  リソース要素グループ
・  Ｒｅｌ−１０  ロングタームエボリューションリリース１０
・  Ｒｅｌ−１１  ロングタームエボリューションリリース１１
・  ＲＦ  無線周波数
・  ＲＯＭ  読み取り専用メモリ
・  ＲＲＣ  無線リソース制御
・  ＲＳ  基準信号
・  ＳＳＳ  セカンダリ同期信号
・  ＵＥ  ユーザ要素
・  ＵＬ  上りリンク
・  ＵＭＢ  ウルトラモバイルブロードバンド
・  ＷＣＤＭＡ  広帯域符号分割多元接続
・  ＷＤ  ワイヤレスデバイス
・  ＷｉＭＡＸ  ワールドワイドインターオペラビリティフォーマイクロウェーブアクセス
【００７８】
当業者は、本開示の好ましい実施形態の改善および変更を認識するであろう。そのようなすべての改善および変更は、本明細書において開示された概念および以下の請求項の範囲内であるとみなされる。
【図１】
2015532032.tif 000003
【図２】
2015532032.tif 000004
【図３】
2015532032.tif 000005
【図４】
2015532032.tif 000006
【図５】
2015532032.tif 000007
【図６】
2015532032.tif 000008
【図７】
2015532032.tif 000009
【図８】
2015532032.tif 000010
【図９】
2015532032.tif 000011
【図１０】
2015532032.tif 000012
【図１１】
2015532032.tif 000013
【図１２Ａ】
2015532032.tif 000014
【図１２Ｂ】
2015532032.tif 000015
【図１３】
2015532032.tif 000016
【図１４】
2015532032.tif 000017
【図１５】
2015532032.tif 000018
【図１６】
2015532032.tif 000019
【図１７Ａ】
2015532032.tif 000020
【図１７Ｂ】
2015532032.tif 000021
【図１７Ｃ】
2015532032.tif 000022
【図１８Ａ】
2015532032.tif 000023
【図１８Ｂ】
2015532032.tif 000024
【図１９】
2015532032.tif 000025
【図２０】
2015532032.tif 000026
【図２１】
2015532032.tif 000027
【図２２】
2015532032.tif 000028
【図２３】
2015532032.tif 000029
【図２４】
2015532032.tif 000030
【図２５】
2015532032.tif 000031
【図２６】
2015532032.tif 000032
【手続補正書】
【提出日】平成26年6月2日(2014.6.2)
【手続補正１】
【補正対象書類名】特許請求の範囲
【補正対象項目名】全文
【補正方法】変更
【補正の内容】
【特許請求の範囲】
【請求項１】
セルラー通信ネットワーク（１０）において動作するように構成されたワイヤレスデバイス（１６）であって、
無線サブシステム（１８）と、
前記無線サブシステム（１８）に関連づけられた処理サブシステム（２０）とを備え、
前記処理サブシステム（２０）は、前記セルラー通信ネットワーク（１０）からの下りリンク制御チャネルを備える下りリンクサブフレームを前記無線サブシステム（１８）を介して受信するように構成され、前記下りリンク制御チャネルに関する前記ワイヤレスデバイス（１６）の探索空間は、下りリンク制御チャネル物理リソースの１つ以上のセットを含み、
前記処理サブシステム（２０）はさらに、前記ワイヤレスデバイス（１６）の前記探索空間における下りリンク制御チャネル物理リソースの１つのセットにおける関心のアンテナポートについての１つ以上の大規模なチャネル特性を、前記１つ以上の大規模なチャネル特性に関し前記関心のアンテナポートと地理的に同一にある前記セルラー通信ネットワーク（１０）におけるアンテナポートに対応する複数の基準信号のサブセットに基づいて推定するように構成され、前記関心のアンテナポートと地理的に同一にある前記アンテナポートは、前記ワイヤレスデバイス（１６）の前記探索空間における下りリンク制御チャネル物理リソースの同一セットにおけるアンテナポートの少なくとも１つのサブセットを含む、
ワイヤレスデバイス（１６）。
【請求項２】
前記セルラー通信ネットワーク（１０）は、ロングタームエボリューションセルラー通信ネットワークであり、前記下りリンク制御チャネルは、発展型物理下りリンク制御チャネルであり、前記下りリンク制御チャネル物理リソースの１つ以上のセットは、発展型物理下りリンク制御チャネル物理リソースブロックペアの１つ以上のセットであり、前記発展型物理下りリンク制御チャネル物理リソースブロックペアの各セットは、前記下りリンクサブフレーム内の１つ以上の発展型物理下りリンク制御チャネル領域における１つ以上の物理リソースブロックペアを含む、
請求項１に記載のワイヤレスデバイス（１６）。
【請求項３】
前記ワイヤレスデバイス（１６）の前記探索空間は、下りリンク制御チャネル物理リソースの２つ以上のセットを含み、前記ワイヤレスデバイス（１６）は、下りリンク制御チャネル物理リソースの異なるセットにおけるアンテナポートが、前記１つ以上の大規模なチャネル特性に関し地理的に同一にあることを想定しない、
請求項１又は２に記載のワイヤレスデバイス（１６）。
【請求項４】
前記関心のアンテナポートは、復調基準信号ポートすなわちＤＭＲＳポートであり、前記ワイヤレスデバイス（１６）の前記探索空間内の下りリンク制御チャネル物理リソースの同一セットにおけるアンテナポートの少なくとも１つのサブセットは、前記下りリンク制御チャネル物理リソースの同一セットにおける少なくとも１つの他のＤＭＲＳポート、及び、ＤＭＲＳ以外のタイプの、少なくとも１つの基準信号ポートすなわちＲＳポート、からなるグループのうち少なくとも１つを含む、
請求項１から３のいずれか一項に記載の前記ワイヤレスデバイス（１６）。
【請求項５】
前記処理サブシステム（２０）はさらに、前記１つ以上の大規模なチャネル特性に関し前記関心のアンテナポートと地理的に同一にある前記アンテナポートを示す前記セルラー通信ネットワーク（１０）からの情報を前記無線サブシステム（１８）を介して受信するように構成される、請求項１に記載のワイヤレスデバイス（１６）。
【請求項６】
前記セルラー通信ネットワーク（１０）からの情報はさらに、前記アンテナポートが前記１つ以上の大規模なチャネル特性に関し前記関心のアンテナポートと地理的に同一にある１つ以上の物理リソースブロックを示す、請求項５に記載のワイヤレスデバイス（１６）。
【請求項７】
前記１つ以上の大規模なチャネル特性に関し前記関心のアンテナポートと地理的に同一にある前記アンテナポートは、前記セルラー通信ネットワーク（１０）のために予め定義される、請求項１に記載のワイヤレスデバイス（１６）。
【請求項８】
前記アンテナポートが前記１つ以上の大規模なチャネル特性に関し前記関心のアンテナポートと地理的に同一にある１つ以上の物理リソースブロックもまた、前記セルラー通信ネットワーク（１０）によって予め定義される、請求項７に記載のワイヤレスデバイス（１６）。
【請求項９】
前記１つ以上の大規模なチャネル特性に関し前記関心のアンテナポートと地理的に同一にある前記アンテナポートは、前記１つ以上の大規模なチャネル特性に関し前記関心のアンテナポートと地理的に同一にあるものとして前記セルラー通信ネットワーク（１０）のために予め定義された第１のアンテナポートと、前記セルラー通信ネットワーク（１０）からのシグナリングを介して前記１つ以上の大規模なチャネル特性に関し前記関心のアンテナポートと地理的に同一にあるものとして示された第２のアンテナポートとを備える、請求項１に記載のワイヤレスデバイス（１６）。
【請求項１０】
前記第１のアンテナポートが前記１つ以上の大規模なチャネル特性に関し前記関心のアンテナポートと地理的に同一にある１つ以上の物理リソースブロックもまた、前記セルラー通信ネットワーク（１０）によって予め定義される、請求項９に記載のワイヤレスデバイス（１６）。
【請求項１１】
前記第２のアンテナポートが前記１つ以上の大規模なチャネル特性に関し前記関心のアンテナポートと地理的に同一にある１つ以上の物理リソースブロックもまた、前記セルラー通信ネットワーク（１０）からのシグナリングを介して前記ワイヤレスデバイス（１６）に示される、請求項９に記載のワイヤレスデバイス（１６）。
【請求項１２】
前記セルラー通信ネットワーク（１０）は、ロングタームエボリューションセルラー通信ネットワークであり、前記下りリンク制御チャネルは、発展型物理下りリンク制御チャネルである、請求項１に記載のワイヤレスデバイス（１６）。
【請求項１３】
前記ワイヤレスデバイス（１６）は、発展型物理下りリンク制御チャネルにおける基準信号に対応するアンテナポートがアンテナポート間およびサブフレーム内の物理リソースブロック間で大規模なチャネル特性に関し地理的に同一にあることを想定せず、
前記１つ以上の大規模なチャネル特性に関し前記関心のアンテナポートと地理的に同一にある前記アンテナポートは、前記セルラー通信ネットワーク（１０）によってシグナリングされたアンテナポートを備える、
請求項１に記載のワイヤレスデバイス（１６）。
【請求項１４】
前記セルラー通信ネットワーク（１０）は、ロングタームエボリューションセルラー通信ネットワークであり、
前記下りリンク制御チャネルは、発展型物理下りリンク制御チャネルであり、
前記複数の基準信号は、前記発展型物理下りリンク制御チャネル内で送信される複数の基準信号を備える、
請求項１に記載のワイヤレスデバイス（１６）。
【請求項１５】
前記発展型物理下りリンク制御チャネルに関する前記ワイヤレスデバイス（１６）の探索空間は、物理リソースの２つ以上のセットを含み、前記処理サブシステム（２０）はさらに、
前記物理リソースの２つ以上のセット内のどのアンテナポートが前記１つ以上の大規模なチャネル特性に関し地理的に同一にあるかを示す前記セルラー通信ネットワーク（１０）からの情報を受信するように構成される、請求項１４に記載のワイヤレスデバイス（１６）。
【請求項１６】
前記セルラー通信ネットワーク（１０）からの情報は、物理リソースの同一セット内のアンテナポートのうち少なくとも幾つかが前記１つ以上の大規模なチャネル特性に関し地理的に同一にあることを示す、請求項１５に記載のワイヤレスデバイス（１６）。
【請求項１７】
前記セルラー通信ネットワーク（１０）からの情報は、前記物理リソースの２つ以上のセットからの物理リソースの２つ以上の異なるセット内の前記アンテナポートのうち少なくとも幾つかが前記１つ以上の大規模なチャネル特性に関し地理的に同一にあることを示す、請求項１５に記載のワイヤレスデバイス（１６）。
【請求項１８】
前記１つ以上の大規模なチャネル特性は、遅延拡散、ドップラー拡散、ドップラーシフト、平均利得、および平均遅延からなるグループの１つ以上を含む、請求項１に記載のワイヤレスデバイス（１６）。
【請求項１９】
セルラー通信ネットワーク（１０）におけるワイヤレスデバイス（１６）の動作の方法であって、
前記セルラー通信ネットワーク（１０）から下りリンクサブフレームを受信することであって、前記下りリンクサブフレームは、前記セルラー通信ネットワーク（１０）からの下りリンク制御チャネルを備え、前記下りリンク制御チャネルに関する前記ワイヤレスデバイス（１６）の探索空間は、下りリンク制御チャネル物理リソースの１つ以上のセットを含む、受信することと、
前記ワイヤレスデバイス（１６）の前記探索空間における下りリンク制御チャネル物理リソースの１つのセットにおける関心のアンテナポートについての１つ以上の大規模なチャネル特性を、前記１つ以上の大規模なチャネル特性に関し前記関心のアンテナポートと地理的に同一にある前記セルラー通信ネットワーク（１０）におけるアンテナポートに対応する複数の基準信号のサブセットに基づいて推定することであって、前記関心のアンテナポートと地理的に同一にある前記アンテナポートは、前記ワイヤレスデバイス（１６）の前記探索空間における下りリンク制御チャネル物理リソースの同一セットにおけるアンテナポートの少なくとも１つのサブセットを含む、推定することと
を備える、方法。
【請求項２０】
セルラー通信ネットワーク（１０）の基地局（１４）であって、
無線サブシステム（２２）と、
前記無線サブシステム（２２）に関連づけられた処理サブシステム（２４）とを備え、
前記処理サブシステム（２４）は、前記無線サブシステム（２２）を介して下りリンクサブフレームを提供するように構成され、前記下りリンクサブフレームは、前記下りリンクサブフレームの下りリンク制御チャネル内で地理的に同一でなくてはならない複数のアンテナポートの１つ以上のサブセットを定義する１つ以上の予め定義された規則に従った前記複数のアンテナポートに対応する複数の基準信号を備え、前記１つ以上の規則は、無線デバイス（１６）の構成される探索空間における下りリンク制御チャネル物理リソースの同一セット内の少なくとも幾つかのアンテナポートが１つ以上の大規模なチャネル特性に関し地理的に同一にあるという規則を含む、
基地局（１４）。
【請求項２１】
セルラー通信ネットワーク（１０）の基地局（１４）であって、
無線サブシステム（２２）と、
前記無線サブシステム（２２）に関連づけられた処理サブシステム（２４）とを備え、
前記処理サブシステム（２４）は、前記セルラー通信ネットワーク（１０）からの下りリンクのサブフレームの下りリンク制御チャネル内で地理的に同一にあるアンテナポートを示す情報を、前記無線サブシステム（２２）を介してワイヤレスデバイス（１６）に送るように構成される、基地局（１４）。
【請求項２２】
前記情報は、地理的に同一にある前記アンテナポートを明示的に示す、請求項２１に記載の基地局（１４）。
【請求項２３】
前記情報は、地理的に同一にある前記アンテナポートを暗黙的に示す、請求項２１に記載の基地局（１４）。
【請求項２４】
前記サブフレームは、前記下りリンク制御チャネルのためのリソースの複数のセットを含み、前記情報は、リソースの同一セット内のアンテナポートが１つ以上の大規模なチャネル特性に関し地理的に同一にあるかどうかを示す、請求項２１に記載の基地局（１４）。
【請求項２５】
前記下りリンク制御チャネルは、発展型物理下りリンク制御チャネルである、請求項２４に記載の基地局（１４）。
【国際調査報告】
2015532032.tif 000033
2015532032.tif 000034